(57)【要約】【課題】  過冷却用熱交換器（210）を有する冷媒回路（220）を備え、蒸気圧縮式冷凍サイクルを行い、冷凍装置（10）の冷媒を過冷却用熱交換器（210）を介して過冷却する過冷却装置（10）において、冷凍装置（10）との間で信号の授受を行うことなく契約電力内での運転制御を可能とする。【解決手段】  外気温度を検出する外気温センサ（231）と、過冷却用圧縮機（221）の運転容量を制限する制御手段（240）とを設ける。制御手段（240）は、過冷却用熱交換器（210）を流れる冷凍装置（10）の冷媒状態と外気温センサ（231）で検知した外気温度とに基づいて過冷却用圧縮機（221）の運転を制御する。【選択図】  図１
2006071269.tif 000002
【特許請求の範囲】
【請求項１】
過冷却用熱交換器（210）と、該過冷却用熱交換器（210）へ冷却用流体を搬送するポンプ機構（221）とを有する冷却用流体回路（220）を備え、冷凍装置（10）の冷媒を過冷却用熱交換器（210）で冷却用流体と熱交換させて過冷却する過冷却装置であって、
上記過冷却用熱交換器（210）を流れる冷凍装置（10）の冷媒の状態または冷却用流体回路（220）の冷却用流体の状態と外気温度とに基づいて上記ポンプ機構（221）の消費電力を低減する制御手段（240）を備えている
ことを特徴とする過冷却装置。
【請求項２】
請求項１に記載の過冷却装置において、
上記制御手段（240）は、過冷却用熱交換器（210）を流れる冷凍装置（10）の冷媒の状態または冷却用流体回路（220）の冷却用流体の状態と外気温度とに基づいて冷凍装置（10）の消費電力を推定し、上記ポンプ機構（221）の消費電力を低減するように構成されている
ことを特徴とする過冷却装置。
【請求項３】
請求項１に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記制御手段（240）は、上記過冷却用熱交換器（210）を流れる冷凍装置（10）の冷媒の状態または過冷却用冷媒回路（220）の過冷却用冷媒の状態と外気温度とに基づいて上記圧縮機（221）の運転周波数を低下させることによって該圧縮機（221）の消費電力を低減するように構成されている
ことを特徴とする過冷却装置。
【請求項４】
請求項１に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記制御手段（240）は、上記過冷却用熱交換器（210）を流れる冷凍装置（10）の冷媒の状態または過冷却用冷媒回路（220）の過冷却用冷媒の状態と外気温度とに基づいて上記熱源側熱交換器（222）のファン（230）の運転周波数を増大させることによって上記圧縮機（221）の消費電力を低減するように構成されている
ことを特徴とする過冷却装置。
【請求項５】
請求項１又は２に記載の過冷却装置において、
上記過冷却用熱交換器（210）を流れる冷凍装置（10）の冷媒の状態は、過冷却用熱交換器（210）における冷凍装置（10）の冷媒の過冷却度である
ことを特徴とする過冷却装置。
【請求項６】
請求項１又は２に記載の過冷却装置において、
上記過冷却用熱交換器（210）を流れる冷凍装置（10）の冷媒の状態は、過冷却用熱交換器（210）を流れる冷凍装置（10）の冷媒流量である
ことを特徴とする過冷却装置。
【請求項７】
請求項１又は２に記載の過冷却装置において、
上記冷却用流体回路（220）の冷却用流体の状態は、過冷却用熱交換器（210）で冷凍装置（10）の冷媒を過冷却する前と過冷却した後の冷却用流体の温度差である
ことを特徴とする過冷却装置。
【請求項８】
請求項１又は２に記載の過冷却装置において、
上記冷却用流体回路（220）の冷却用流体の状態は、過冷却用熱交換器（210）を流れる冷却用流体の流量である
ことを特徴とする過冷却装置。
【請求項９】
請求項１又は２に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記過冷却用冷媒回路（220）の過冷却用冷媒の状態は、過冷却用冷媒回路（220）における過冷却用冷媒の高圧圧力である
ことを特徴とする過冷却装置。
【請求項１０】
請求項１又は２に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記過冷却用冷媒回路（220）の過冷却用冷媒の状態は、過冷却用冷媒回路（220）における過冷却用冷媒の高圧圧力および低圧圧力の圧力差である
ことを特徴とする過冷却装置。
【発明の詳細な説明】
【技術分野】
【０００１】
過冷却用熱交換器（210）を有する冷媒回路（220）を備え、蒸気圧縮式冷凍サイクルを行い、冷凍装置（10）の冷媒を過冷却用熱交換器（210）を介して過冷却する過冷却装置に関する。
【背景技術】
【０００２】
従来より、冷却能力の増大を目的として冷凍装置に取り付けられ、この冷凍装置の熱源側機器から利用側機器へ送られる冷凍装置の冷媒を冷却する過冷却装置が知られている。
【０００３】
例えば、特許文献１に開示された過冷却装置は、室外ユニットと室内ユニットとを備えた空気調和機に取り付けられている。具体的に、この過冷却装置は、室外ユニットと室内ユニットを接続する液側の連絡配管の途中に設けられると共に、過冷却回路を備えている。この過冷却装置は、過冷却回路で冷媒を循環させて冷凍サイクルを行い、液側の連絡配管から送り込まれた空調機の冷媒を過冷却回路の蒸発器で冷却する。そして、この過冷却装置は、空調機の室外ユニットから室内ユニットへ送られる液冷媒を冷却し、室内ユニットへ送られる液冷媒のエンタルピを低下させることによって冷房能力を向上させている。
【０００４】
上述のように、上記過冷却装置は、空気調和機などの冷凍装置を補助してその冷却能力を増大させるためのものである。このため、冷凍装置の停止中に過冷却装置だけを運転することはない。また、空気調和機の暖房運転のように冷凍装置がヒートポンプとして動作する状態で過冷却装置を運転することもない。このように、過冷却装置を運転すべきか否かを決めるには、過冷却装置が取り付けられた冷凍装置の運転状態を知る必要がある。
【０００５】
そこで、特許文献１に開示された従来の過冷却装置では、過冷却装置の制御部を空気調和機の制御部と接続して１つの制御システムを構成している。この過冷却装置の制御部へは、空気調和機の運転状態を示す信号が空気調和機の制御部から入力される。そして、この過冷却装置では、空気調和機の制御部から入力された信号に基づいて、その運転制御が行われる。
【特許文献１】特開平１０−１８５３３３号公報
【発明の開示】
【発明が解決しようとする課題】
【０００６】
ところで、契約電力の制限がある場所に過冷却装置を備える冷凍装置を設けた場合、特に夏場は使用電力が過大となることから、冷却装置の使用する電力と過冷却装置の使用する電力との合計を制限したいという強い要望がある。
【０００７】
このような場合に、従来の過冷却装置のように、それが取り付けられる冷凍装置との間で信号の授受を行って冷却装置の使用する電力と過冷却装置の使用する電力との合計を検出しようとすると、過冷却装置を冷凍装置に取り付ける際には、両者間で送受信される信号を伝送するための配線工事が必要となり、過冷却装置の設置作業が繁雑であるという問題があった。また、過冷却装置を設置する際に誤配線が生じる可能性もあり、このような設置作業のミスに起因するトラブルを招くおそれもあった。
【０００８】
本発明は、かかる点に鑑みてなされたものであり、その目的とするところは、取り付け対象の冷凍装置との間で信号の授受を行うことなく、所定の電力制限値内で過冷却装置の運転制御を可能とすることにある。
【課題を解決するための手段】
【０００９】
具体的には、第１の発明では、過冷却用熱交換器（210）と、該過冷却用熱交換器（210）へ冷却用流体を搬送するポンプ機構（221）とを有する冷却用流体回路（220）を備え、冷凍装置（10）の冷媒を過冷却用熱交換器（210）で冷却用流体と熱交換させて過冷却する過冷却装置を対象とする。
【００１０】
そして、上記過冷却用熱交換器（210）を流れる冷凍装置（10）の冷媒の状態または冷却用流体回路（220）の冷却用流体の状態と外気温度とに基づいて上記ポンプ機構（221）の消費電力を低減する制御手段（240）を備えている。
【００１１】
上記の構成によると、過冷却装置（200）の冷却用流体回路（220）では、冷凍装置（10）の冷媒を過冷却するための冷媒や水等の冷却用流体がポンプ機構（221）によって過冷却用熱交換器（210）へ供給される。過冷却用熱交換器（210）では、冷凍装置（10）の冷媒が冷却用流体と熱交換する。そして、過冷却用熱交換器（210）では、冷却用流体が冷凍装置（10）の冷媒から吸熱し、冷凍装置（10）の冷媒が冷却される。
【００１２】
この発明の過冷却装置（200）では、制御手段（240）が、過冷却用熱交換器（210）を流れる冷凍装置（10）の冷媒状態または冷却用流体回路（220）の冷却用流体の状態と外気温度とに応じてポンプ機構（221）の消費電力を低減する。すなわち、過冷却装置（200）で得られる情報のみに基づいてポンプ機構（221）の運転制御が行われる。このため、制御手段（240）は、冷凍装置（10）の運転状態に関する信号を冷凍装置（10）から受けることなく、ポンプ機構（221）の消費電力を低減できる。
【００１３】
第２の発明では、上記第１の発明において、上記制御手段（240）は、過冷却用熱交換器（210）を流れる冷凍装置（10）の冷媒の状態または冷却用流体回路（220）の冷却用流体の状態と外気温度とに基づいて冷凍装置（10）の消費電力を推定し、上記ポンプ機構（221）の消費電力を低減するように構成されている。
【００１４】
上記の構成によると、制御手段（240）によって過冷却用熱交換器（210）を流れる冷凍装置（10）の冷媒状態または冷却用流体回路（220）の冷却用流体の状態と外気温度とに基づいて、大まかな冷凍装置（10）の運転状態を予測して、その消費電力を推定する。この推定された冷凍装置（10）の消費電力と冷却用流体回路（220）のポンプ機構（221）の消費電力との合計が所定値を超えないように、制御手段（240）がポンプ機構（221）の消費電力を低減する。
【００１５】
第３の発明では、上記第１の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００１６】
そして、上記制御手段（240）は、上記過冷却用熱交換器（210）を流れる冷凍装置（10）の冷媒の状態または過冷却用冷媒回路（220）の過冷却用冷媒の状態と外気温度とに基づいて上記圧縮機（221）の運転周波数を低下させることによって該圧縮機（221）の消費電力を低減するように構成されている。
【００１７】
上記の構成によると、過冷却用冷媒回路（220）において、圧縮機（221）より吐出された過冷却用冷媒が熱源側熱交換器（222）で例えば空気と熱交換し、その後過冷却用熱交換器（210）で冷凍装置（10）の冷媒と熱交換して再び圧縮機（221）へ戻る循環を繰り返す。過冷却用熱交換器（210）では、過冷却用冷媒が冷凍装置（10）の冷媒から吸熱して蒸発し、冷凍装置（10）の冷媒が冷却される。
【００１８】
そして、制御手段（240）により、冷凍装置（10）から運転状態に関する信号を受けることなく、過冷却用熱交換器（210）を流れる冷凍装置（10）の冷媒の状態または過冷却用冷媒回路（220）の過冷却用冷媒の状態と外気温度とに基づいて圧縮機（221）の運転周波数を低下させて運転容量を減少させる。
【００１９】
第４の発明では、上記第１の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００２０】
そして、上記制御手段（240）は、上記過冷却用熱交換器（210）を流れる冷凍装置（10）の冷媒の状態または過冷却用冷媒回路（220）の過冷却用冷媒の状態と外気温度とに基づいて上記熱源側熱交換器（222）のファン（230）の運転周波数を増大させることによって上記圧縮機（221）の消費電力を低減するように構成されている。
【００２１】
上記の構成によると、過冷却用冷媒回路（220）において、圧縮機（221）より吐出された過冷却用冷媒が熱源側熱交換器（222）でファン（230）によって取り込まれた空気と熱交換し、その後過冷却用熱交換器（210）で冷凍装置（10）の冷媒と熱交換して再び圧縮機（221）へ戻る循環を繰り返す。
【００２２】
そして、制御手段（240）により、過冷却用熱交換器（210）を流れる冷凍装置（10）の冷媒の状態または過冷却用冷媒回路（220）の過冷却用冷媒の状態と外気温度とに基づいて熱源側熱交換器（222）のファン（230）の運転周波数を増大させて風量を増大させる。その際、圧縮機（221）の運転容量は変化させない。これにより、過冷却用冷媒回路（220）における過冷却用冷媒の高圧圧力が低下するため、圧縮機（221）における圧縮負荷が減少し、該圧縮機（221）の消費電力が低減される。つまり、圧縮機（221）において、吐出圧力を低下させることにより、圧縮の仕事量が減少する。
【００２３】
第５の発明では、上記第１又は第２の発明において、上記過冷却用熱交換器（210）を流れる冷凍装置（10）の冷媒の状態は、過冷却用熱交換器（210）における冷凍装置（10）の冷媒の過冷却度である。
【００２４】
上記の構成によると、過冷却用熱交換器（210）で過冷却される前の冷凍装置（10）の冷媒の温度と過冷却された後の冷凍装置（10）の冷媒の温度との差が過冷却度として検出される。そして、この過冷却度から過冷却用熱交換器（210）を流れる冷凍装置（10）の冷媒状態を推定する。
【００２５】
具体的に、過冷却度が大きいときには、過冷却用熱交換器（210）で冷凍装置（10）の冷媒が十分に冷却されていることから、冷凍装置（10）から過冷却用熱交換器（210）に流れ込む冷凍装置（10）の冷媒流量が少ないと判断することができる。このことから、制御手段（240）は、冷凍装置（10）での消費電力は小さいと推定することができる。このときには、ポンプ機構（221）の消費電力を低減しない。一方、過冷却度が小さいときには、過冷却用熱交換器（210）で冷凍装置（10）の冷媒が十分に冷却されていないことから、冷凍装置（10）から過冷却用熱交換器（210）に流れ込む冷凍装置（10）の冷媒流量が多いと判断することができる。このことから、冷凍装置（10）での消費電力は大きいと推定することができる。このときには、制御手段（240）は、ポンプ機構（221）の消費電力を低減し、ポンプ機構（221）の消費電力と冷凍装置（10）の消費電力との合計を所定値内に抑える。
【００２６】
第６の発明では、上記第１又は第２の発明において、上記過冷却用熱交換器（210）を流れる冷凍装置（10）の冷媒の状態は、過冷却用熱交換器（210）を流れる冷凍装置（10）の冷媒流量である。
【００２７】
上記の構成によると、直接、過冷却用熱交換器（210）を流れる冷媒流量が検出される。この冷媒流量から過冷却用熱交換器（210）を流れる冷凍装置（10）の冷媒状態が推定される。そして、制御手段（240）が、この冷媒流量と外気温度とに基づいて、ポンプ機構（221）の消費電力を低減して、ポンプ機構（221）の消費電力と冷凍装置（10）の消費電力との合計を所定値内に抑える。
【００２８】
第７の発明では、上記第１又は第２の発明において、上記冷却用流体回路（220）の冷却用流体の状態は、過冷却用熱交換器（210）で冷凍装置（10）の冷媒を過冷却する前と過冷却した後の冷却用流体の温度差である。
【００２９】
上記の構成によると、冷却用流体回路（220）において過冷却する前と過冷却した後の冷却用流体の温度差が検出される。この冷却用流体の温度差から過冷却用熱交換器（210）を流れる冷凍装置（10）の冷媒状態が推定される。
【００３０】
具体的に、冷却用流体の温度差が大きい場合、過冷却用熱交換器（210）で冷凍装置（10）の冷媒が十分に冷却されていることから、過冷却用熱交換器（210）を流れる冷凍装置（10）の冷媒流量が少ないと判断することができる。したがって、制御手段（240）は、冷凍装置（10）での消費電力が小さいと推定し、ポンプ機構（221）の消費電力を低減しない。一方、冷却用流体の温度差が小さい場合、過冷却用熱交換器（210）で冷凍装置（10）の冷媒が十分に冷却されていないことから、過冷却用熱交換器（210）を流れる冷凍装置（10）の冷媒流量が多いと判断することができる。したがって、制御手段（240）は、冷凍装置（10）での消費電力が大きいと推定し、ポンプ機構（221）の消費電力を低減し、ポンプ機構（221）の消費電力と冷凍装置（10）の消費電力との合計を所定値内に抑える。
【００３１】
第８の発明では、上記第１又は第２の発明において、上記冷却用流体回路（220）の冷却用流体の状態は、過冷却用熱交換器（210）を流れる冷却用流体の流量である。
【００３２】
上記の構成によると、過冷却用熱交換器（210）を流れる冷却用流体の流量から過冷却用熱交換器（210）を流れる冷凍装置（10）の冷媒状態が推定される。具体的に、冷却用流体の流量が少ない場合、過冷却用熱交換器（210）を流れる冷媒流量も少ないと判断することができる。この場合、制御手段（240）は、冷凍装置（10）での消費電力が小さいと推定し、ポンプ機構（221）の消費電力を低減しない。一方、冷却用流体の流量が多い場合、過冷却用熱交換器（210）を流れる冷媒流量も多いと判断することができる。この場合、制御手段（240）は、冷凍装置（10）での消費電力が大きいと推定し、ポンプ機構（221）の消費電力を低減してポンプ機構（221）の消費電力と冷凍装置（10）の消費電力との合計を所定値内に抑える。
【００３３】
第９の発明では、上記第１又は第２の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００３４】
そして、上記過冷却用冷媒回路（220）の過冷却用冷媒の状態は、過冷却用冷媒回路（220）における過冷却用冷媒の高圧圧力である。
【００３５】
上記の構成によると、過冷却用冷媒の高圧圧力から過冷却用熱交換器（210）を流れる冷凍装置（10）の冷媒状態が推定される。つまり、その高圧圧力が低いときは、過冷却用熱交換器（210）における熱交換量が少なくなり、冷凍装置（10）の冷媒流量が少ないと判断され、冷凍装置（10）の消費電力が小さいと推定される。また、高圧圧力が高いときは、制御手段（240）により、過冷却用熱交換器（210）における熱交換量が多くなり、冷凍装置（10）の冷媒流量が多いと判断され、冷凍装置（10）の消費電力が大きいと推定される。したがって、圧縮機（221）の消費電力が低減される。
【００３６】
第１０の発明では、上記第１又は第２の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００３７】
そして、上記過冷却用冷媒回路（220）の過冷却用冷媒の状態は、過冷却用冷媒回路（220）における過冷却用冷媒の高圧圧力および低圧圧力の圧力差である。
【００３８】
上記の構成によると、過冷却用冷媒の高圧圧力および低圧圧力の圧力差から過冷却用熱交換器（210）を流れる冷凍装置（10）の冷媒状態が推定される。具体的に、その圧力差が大きい場合、低圧圧力は膨張弁等によってほぼ一定に維持されているので、高圧圧力が通常より低いと判断され、過冷却用熱交換器（210）を流れる冷凍装置（10）の冷媒流量が少ないと判断される。そして、冷凍装置（10）の消費電力が小さいと推定される。また、圧力差が大きい場合、高圧圧力が通常より高いと判断され、過冷却用熱交換器（210）を流れる冷凍装置（10）の冷媒流量が多いと判断される。そして、冷凍装置（10）の消費電力が大きいと推定され、圧縮機（221）の消費電力が低減される。
【発明の効果】
【００３９】
以上説明したように、本発明の過冷却装置において、制御手段（240）が、過冷却用熱交換器（210）を流れる冷凍装置（10）の冷媒の状態または冷却用流体回路（220）の冷却用流体の状態と外気温度とに基づいて、冷却用流体回路（220）のポンプ機構（221）の消費電力を低減している。このため、制御手段（240）は、冷凍装置（10）の運転状態に関する信号を冷凍装置（10）から受けることなく、圧縮機等のポンプ機構（221）の消費電力を低減することができるので、本発明の過冷却装置（200）を冷凍装置（10）に取り付ける際には、冷凍装置（10）と過冷却装置（200）との間で信号を授受するための通信用配線を敷設する必要がない。
【００４０】
したがって、本発明によれば、過冷却装置（200）を冷凍装置（10）に取り付ける際の作業工数を削減することができ、更に誤配線などの設置作業時の人的ミスに起因するトラブルを未然に防止しながら、契約電力内で過冷却装置を運転して冷凍装置（10）を補助し、その冷却能力を増大させることができる。
【発明を実施するための最良の形態】
【００４１】
以下、本発明の実施形態を図面に基づいて詳細に説明する。
【００４２】
《発明の実施形態１》
本実施形態１の冷凍システムは、コンビニエンスストアなどに設置されて、店内の空気調和とショーケース内の冷却とを行うものである。この冷凍システムは、本発明に係る過冷却装置としての過冷却ユニット（200）と、この過冷却ユニット（200）が取り付けられた冷凍装置（10）とによって構成されている。
【００４３】
図１に示すように、上記冷凍システムには、室外ユニット（11）と、空調ユニット（12）と、冷蔵ショーケース（13）と、冷凍ショーケース（14）と、ブースタユニット（15）と、過冷却ユニット（200）とが設けられている。そして、室外ユニット（11）と、空調ユニット（12）と、冷蔵ショーケース（13）と、冷凍ショーケース（14）と、ブースタユニット（15）とが冷凍装置（10）を構成している。この冷凍システムでは、室外ユニット（11）と過冷却ユニット（200）とが屋外に設置され、残りの空調ユニット（12）などがコンビニエンスストアなどの店内に設置される。
【００４４】
室外ユニット（11）には室外回路（40）が、空調ユニット（12）には空調回路（100）が、冷蔵ショーケース（13）には冷蔵回路（110）が、冷凍ショーケース（14）には冷凍回路（130）が、ブースタユニット（15）にはブースタ回路（140）がそれぞれ設けられている。また、過冷却ユニット（200）には、冷媒通路（205）が設けられている。冷凍システムでは、これらの回路（40,100,…）や過冷却ユニット（200）の冷媒通路（205）を配管で接続することによって冷凍装置（10）の冷媒回路（20）が構成されている。
【００４５】
また、冷媒回路（20）には、第１液側連絡配管（21）と、第２液側連絡配管（22）と、第１ガス側連絡配管（23）と、第２ガス側連絡配管（24）とが設けられている。
【００４６】
第１液側連絡配管（21）は、過冷却ユニット（200）の冷媒通路（205）の一端を室外回路（40）に接続している。第２液側連絡配管（22）の一端は、冷媒通路（205）の他端に接続している。第２液側連絡配管（22）の他端は、３つに分岐して空調回路（100）と冷蔵回路（110）と冷凍回路（130）とに接続している。第２液側連絡配管（22）のうち冷凍回路（130）に接続する分岐管には、液側閉鎖弁（25）が設けられている。
【００４７】
第１ガス側連絡配管（23）の一端は、２つに分岐して冷蔵回路（110）とブースタ回路（140）とに接続している。第１ガス側連絡配管（23）のうちブースタ回路（140）に接続する分岐管には、ガス側閉鎖弁（26）が設けられている。第１ガス側連絡配管（23）の他端は、室外回路（40）に接続している。第２ガス側連絡配管（24）は、空調回路（100）を室外回路（40）に接続している。
【００４８】
〈室外ユニット〉
室外ユニット（11）は、冷凍装置（10）の熱源側機器を構成している。この室外ユニット（11）は、室外回路（40）を備えている。
【００４９】
室外回路（40）には、可変容量圧縮機（41）と、第１固定容量圧縮機（42）と、第２固定容量圧縮機（43）と、室外熱交換器（44）と、レシーバ（45）と、室外膨張弁（46）とが設けられている。また、室外回路（40）には、３つの吸入管（61,62,63）と、２つの吐出管（64,65）と、４つの液管（81,82,83,84）と、１つの高圧ガス管（66）とが設けられている。更に、室外回路（40）には、３つの四路切換弁（51,52,53）と、１つの液側閉鎖弁（54）と、２つのガス側閉鎖弁（55,56）とが設けられている。
【００５０】
この室外回路（40）において、液側閉鎖弁（54）には第１液側連絡配管（21）が、第１ガス側閉鎖弁（55）には第１ガス側連絡配管（23）が、第２ガス側閉鎖弁（56）には第２ガス側連絡配管（24）がそれぞれ接続されている。
【００５１】
可変容量圧縮機（41）、第１固定容量圧縮機（42）、及び第２固定容量圧縮機（43）は、何れも全密閉型で高圧ドーム型のスクロール圧縮機である。可変容量圧縮機（41）には、インバータを介して電力が供給される。この可変容量圧縮機（41）は、インバータの出力周波数を変化させて圧縮機モータの回転速度を変更することによって、その容量が変更可能となっている。一方、第１，第２固定容量圧縮機（42,43）は、圧縮機モータが常に一定の回転速度で運転されるものであって、その容量が変更不能となっている。
【００５２】
第１吸入管（61）は、その一端が第１ガス側閉鎖弁（55）に接続されている。この第１吸入管（61）は、他端側で第１分岐管（61a）と第２分岐管（61b）とに分岐されており、第１分岐管（61a）が可変容量圧縮機（41）の吸入側に、第２分岐管（61b）が第３四路切換弁（53）にそれぞれ接続されている。第１吸入管（61）の第２分岐管（61b）には、第１ガス側閉鎖弁（55）から第３四路切換弁（53）へ向かう冷媒の流通だけを許容する逆止弁（CV-1）が設けられている。
【００５３】
第２吸入管（62）は、その一端が第３四路切換弁（53）に、他端が第１固定容量圧縮機（42）の吸入側にそれぞれ接続されている。
【００５４】
第３吸入管（63）は、その一端が第２四路切換弁（52）に接続されている。この第３吸入管（63）は、他端側で第１分岐管（63a）と第２分岐管（63b）とに分岐されており、第１分岐管（63a）が第２固定容量圧縮機（43）の吸入側に、第２分岐管（63b）が第３四路切換弁（53）にそれぞれ接続されている。第３吸入管（63）の第２分岐管（63b）には、第２四路切換弁（52）から第３四路切換弁（53）へ向かう冷媒の流通だけを許容する逆止弁（CV-2）が設けられている。
【００５５】
第１吐出管（64）は、一端側で第１分岐管（64a）と第２分岐管（64b）とに分岐されており、第１分岐管（64a）が可変容量圧縮機（41）の吐出側に、第２分岐管（64b）が第１固定容量圧縮機（42）の吐出側にそれぞれ接続されている。第１吐出管（64）の他端は、第１四路切換弁（51）に接続されている。第１吐出管（64）の第２分岐管（64b）には、第１固定容量圧縮機（42）から第１四路切換弁（51）へ向かう冷媒の流通だけを許容する逆止弁（CV-3）が設けられている。
【００５６】
第２吐出管（65）は、その一端が第２固定容量圧縮機（43）の吸入側に、他端が第１吐出管（64）における第１四路切換弁（51）の直前にそれぞれ接続されている。第２吐出管（65）には、第２固定容量圧縮機（43）から第１四路切換弁（51）へ向かう冷媒の流通だけを許容する逆止弁（CV-4）が設けられている。
【００５７】
室外熱交換器（44）は、クロスフィン式のフィン・アンド・チューブ型熱交換器である。この室外熱交換器（44）では、冷媒と室外空気の間で熱交換が行われる。室外熱交換器（44）の一端は、閉鎖弁（57）を介して第１四路切換弁（51）に接続されている。一方、室外熱交換器（44）の他端は、第１液管（81）を介してレシーバ（45）の頂部に接続されている。この第１液管（81）には、室外熱交換器（44）からレシーバ（45）へ向かう冷媒の流通だけを許容する逆止弁（CV-5）が設けられている。
【００５８】
レシーバ（45）の底部には、閉鎖弁（58）を介して第２液管（82）の一端が接続されている。第２液管（82）の他端は、液側閉鎖弁（54）に接続されている。この第２液管（82）には、レシーバ（45）から液側閉鎖弁（54）へ向かう冷媒の流通だけを許容する逆止弁（CV-6）が設けられている。
【００５９】
第２液管（82）における逆止弁（CV-6）と液側閉鎖弁（54）の間には、第３液管（83）の一端が接続されている。第３液管（83）の他端は、第１液管（81）を介してレシーバ（45）の頂部に接続されている。また、第３液管（83）には、その一端から他端へ向かう冷媒の流通だけを許容する逆止弁（CV-7）が設けられている。
【００６０】
第２液管（82）における閉鎖弁（58）と逆止弁（CV-6）の間には、第４液管（84）の一端が接続されている。第４液管（84）の他端は、第１液管（81）における室外熱交換器（44）と逆止弁（CV-5）の間に接続されている。また、第４液管（84）には、その一端から他端へ向かって順に、逆止弁（CV-8）と室外膨張弁（46）とが設けられている。この逆止弁（CV-8）は、第４液管（84）の一端から他端へ向かう冷媒の流通だけを許容する。また、室外膨張弁（46）は、電子膨張弁により構成されている。
【００６１】
高圧ガス管（66）は、その一端が第１吐出管（64）における第１四路切換弁（51）の直前に接続されている。高圧ガス管（66）は、他端側で第１分岐管（66a）と第２分岐管（66b）とに分岐されており、第１分岐管（66a）が第１液管（81）における逆止弁（CV-5）の下流側に、第２分岐管（66b）が第３四路切換弁（53）にそれぞれ接続されている。高圧ガス管（66）の第１分岐管（66a）には、電磁弁（SV-7）と逆止弁（CV-9）とが設けられている。この逆止弁（CV-9）は、電磁弁（SV-7）の下流側に配置され、電磁弁（SV-7）から第１液管（81）へ向かう冷媒の流通だけを許容する。
【００６２】
第１四路切換弁（51）は、第１のポートが第１吐出管（64）の終端に、第２のポートが第２四路切換弁（52）に、第３のポートが室外熱交換器（44）に、第４のポートが第２ガス側閉鎖弁（56）にそれぞれ接続されている。この第１四路切換弁（51）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６３】
第２四路切換弁（52）は、第１のポートが第２吐出管（65）における逆止弁（CV-4）の下流側に、第２のポートが第２吸入管（62）の始端に、第４のポートが第１四路切換弁（51）の第２のポートにそれぞれ接続されている。また、第２四路切換弁（52）は、その第３のポートが封止されている。この第２四路切換弁（52）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６４】
第３四路切換弁（53）は、第１のポートが高圧ガス管（66）の第２分岐管（66b）の終端に、第２のポートが第２吸入管（62）の始端に、第３のポートが第１吸入管（61）の第２分岐管（61b）の終端に、第４のポートが第３吸入管（63）の第２分岐管（63b）の終端にそれぞれ接続されている。この第３四路切換弁（53）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６５】
室外回路（40）には、インジェクション管（85）、連通管（87）、油分離器（75）、及び油戻し管（76）が更に設けられている。また、室外回路（40）には、４つの均油管（71,72,73,74）も設けられている。
【００６６】
インジェクション管（85）は、いわゆる液インジェクションを行うためのものである。インジェクション管（85）は、その一端が第４液管（84）における逆止弁（CV-8）と室外膨張弁（46）の間に、他端が第１吸入管（61）にそれぞれ接続されている。このインジェクション管（85）には、その一端から他端へ向かって順に、閉鎖弁（59）と流量調節弁（86）とが設けられている。流量調節弁（86）は、電子膨張弁により構成されている。
【００６７】
連通管（87）は、その一端がインジェクション管（85）における閉鎖弁（59）と流量調節弁（86）の間に、他端が高圧ガス管（66）の第１分岐管（66a）における電磁弁（SV-7）の上流側にそれぞれ接続されている。この連通管（87）には、その一端から他端へ向かう冷媒の流通だけを許容する逆止弁（CV-10）が設けられている。
【００６８】
油分離器（75）は、第１吐出管（64）のうち第２吐出管（65）及び高圧ガス管（66）の接続位置よりも上流側に設けられている。この油分離器（75）は、圧縮機（41,42）の吐出ガスから冷凍機油を分離するためのものである。
【００６９】
油戻し管（76）は、その一端が油分離器（75）に接続されている。油戻し管（76）は、他端側で第１分岐管（76a）と第２分岐管（76b）とに分岐されており、第１分岐管（76a）がインジェクション管（85）における流量調節弁（86）の下流側に、第２分岐管（76b）が第２吸入管（62）にそれぞれ接続されている。また、油戻し管（76）の第１分岐管（76a）と第２分岐管（76b）とには、電磁弁（SV-5,SV-6）が１つずつ設けられている。第１分岐管（76a）の電磁弁（SV-5）を開くと、油分離器（75）で分離された冷凍機油がインジェクション管（85）を通じて第１吸入管（61）へ送り返される。一方、第２分岐管（76b）の電磁弁（SV-6）を開くと、油分離器（75）で分離された冷凍機油が第２吸入管（62）へ送り返される。
【００７０】
第１均油管（71）は、その一端が可変容量圧縮機（41）に接続され、他端が第２吸入管（62）に接続されている。この第１均油管（71）には、電磁弁（SV-1）が設けられている。第２均油管（72）は、その一端が第１固定容量圧縮機（42）に接続され、他端が第３吸入管（63）の第１分岐管（63a）に接続されている。この第２均油管（72）には、電磁弁（SV-2）が設けられている。第３均油管（73）は、その一端が第２固定容量圧縮機（43）に接続され、他端が第１吸入管（61）の第１分岐管（61a）に接続されている。この第３均油管（73）には、電磁弁（SV-3）が設けられている。第４均油管（74）は、その一端が第２均油管（72）における電磁弁（SV-2）の上流側に接続され、他端が第１吸入管（61）の第１分岐管（61a）に接続されている。この第４均油管（74）には、電磁弁（SV-4）が設けられている。各均油管（71〜74）の電磁弁（SV-1〜SV-4）を適宜開閉することにより、各圧縮機（41,42,43）における冷凍機油の貯留量が平均化される。
【００７１】
室外回路（40）には、図示しないが、各種のセンサや圧力スイッチも設けられている。
【００７２】
また、室外ユニット（11）には、室外ファン（48）が設けられている。室外熱交換器（44）へは、この室外ファン（48）によって室外空気が送られる。
【００７３】
〈空調ユニット〉
空調ユニット（12）は、利用側機器を構成している。空調ユニット（12）は、空調回路（100）を備えている。この空調回路（100）は、その液側端が第２液側連絡配管（22）、ガス側端が第２ガス側連絡配管（24）にそれぞれ接続されている。
【００７４】
空調回路（100）では、その液側端からガス側端へ向かって順に、空調膨張弁（102）と空調熱交換器（101）とが設けられている。空調熱交換器（101）は、クロスフィン式のフィン・アンド・チューブ型熱交換器である。この空調熱交換器（101）では、冷媒と室内空気の間で熱交換が行われる。一方、空調膨張弁（102）は、電子膨張弁によって構成されている。
【００７５】
空調ユニット（12）には、空調ファン（105）が設けられている。空調熱交換器（101）へは、この空調ファン（105）によって店内の室内空気が送られる。
【００７６】
〈冷蔵ショーケース〉
冷蔵ショーケース（13）は、利用側機器を構成している。冷蔵ショーケース（13）は、冷蔵回路（110）を備えている。この冷蔵回路（110）は、その液側端が第２液側連絡配管（22）に、ガス側端が第１ガス側連絡配管（23）にそれぞれ接続されている。
【００７７】
冷蔵回路（110）では、その液側端からガス側端へ向かって順に、冷蔵電磁弁（114）と冷蔵膨張弁（112）と冷蔵熱交換器（111）とが設けられている。冷蔵熱交換器（111）は、クロスフィン式のフィン・アンド・チューブ型熱交換器である。この冷蔵熱交換器（111）では、冷媒と庫内空気の間で熱交換が行われる。冷蔵膨張弁（112）は、温度自動膨張弁によって構成されている。冷蔵膨張弁（112）の感温筒（113）は、冷蔵熱交換器（111）の出口側の配管に取り付けられている。
【００７８】
冷蔵ショーケース（13）には、冷蔵庫内ファン（115）が設けられている。冷蔵熱交換器（111）へは、この冷蔵庫内ファン（115）によって冷蔵ショーケース（13）の庫内空気が送られる。
【００７９】
〈冷凍ショーケース〉
冷凍ショーケース（14）は、利用側機器を構成している。冷凍ショーケース（14）は、冷凍回路（130）を備えている。この冷凍回路（130）は、その液側端が第２液側連絡配管（22）に接続されている。また、冷凍回路（130）のガス側端は、配管を介してブースタユニット（15）に接続されている。
【００８０】
冷凍回路（130）では、その液側端からガス側端へ向かって順に、冷凍電磁弁（134）と冷凍膨張弁（132）と冷凍熱交換器（131）とが設けられている。冷凍熱交換器（131）は、クロスフィン式のフィン・アンド・チューブ型熱交換器である。この冷凍熱交換器（131）では、冷媒と庫内空気の間で熱交換が行われる。冷凍膨張弁（132）は、温度自動膨張弁によって構成されている。冷凍膨張弁（132）の感温筒（133）は、冷凍熱交換器（131）の出口側の配管に取り付けられている。
【００８１】
冷凍ショーケース（14）には、冷凍庫内ファン（135）が設けられている。冷凍熱交換器（131）へは、この冷凍庫内ファン（135）によって冷凍ショーケース（14）の庫内空気が送られる。
【００８２】
〈ブースタユニット〉
ブースタユニット（15）は、ブースタ回路（140）を備えている。このブースタ回路（140）には、ブースタ圧縮機（141）と、吸入管（143）と、吐出管（144）と、バイパス管（150）とが設けられている。
【００８３】
ブースタ圧縮機（141）は、全密閉型で高圧ドーム型のスクロール圧縮機である。ブースタ圧縮機（141）には、インバータを介して電力が供給される。このブースタ圧縮機（141）は、インバータの出力周波数を変化させて圧縮機モータの回転速度を変更することによって、その容量が変更可能となっている。
【００８４】
吸入管（143）は、その終端がブースタ圧縮機（141）の吸入側に接続されている。吸入管（143）の始端は、配管を介して冷凍回路（130）のガス側端に接続されている。
【００８５】
吐出管（144）は、その始端がブースタ圧縮機（141）の吐出側に、終端が第１ガス側連絡配管（23）にそれぞれ接続されている。この吐出管（144）には、その始端から終端へ向かって順に、高圧圧力スイッチ（148）と、油分離器（145）と、吐出側逆止弁（149）とが設けられている。吐出側逆止弁（149）は、吐出管（144）の始端から終端へ向かう冷媒の流通だけを許容する。
【００８６】
油分離器（145）は、ブースタ圧縮機（141）の吐出ガスから冷凍機油を分離するためのものである。油分離器（145）には、油戻し管（146）の一端が接続されている。油戻し管（146）の他端は、吸入管（143）に接続されている。油戻し管（146）には、キャピラリチューブ（147）が設けられている。油分離器（145）で分離された冷凍機油は、油戻し管（146）を通じてブースタ圧縮機（141）の吸入側へ送り返される。
【００８７】
バイパス管（150）は、その始端が吸入管（143）に、終端が吐出管（64）における油分離器（145）と吐出側逆止弁（149）の間にそれぞれ接続されている。このバイパス管（150）には、その始端から終端へ向かう冷媒の流通だけを許容するバイパス逆止弁（151）が設けられている。
【００８８】
〈過冷却ユニット〉
過冷却ユニット（200）は、冷媒通路（205）と過冷却用冷媒回路（220）と過冷却用熱交換器（210）と制御手段としてのコントローラ（240）とを備えている。
【００８９】
冷媒通路（205）は、その一端が第１液側連絡配管（21）に、他端が第２液側連絡配管（22）にそれぞれ接続されている。
【００９０】
過冷却用冷媒回路（220）は、過冷却用圧縮機（221）と、過冷却用室外熱交換器（222）と、過冷却用膨張弁（223）と、過冷却用熱交換器（210）とを順に配管で接続して構成された閉回路である。この過冷却用冷媒回路（220）では、充填された過冷却用冷媒を循環させることによって蒸気圧縮式冷凍サイクルが行われる。すなわち、この過冷却用冷媒回路（220）は、上記冷凍装置（10）の冷媒回路（20）に流れる冷媒とは別の過冷却用冷媒が冷却用流体として循環する冷却用流体回路を構成している。
【００９１】
過冷却用圧縮機（221）は、全密閉型で高圧ドーム型のスクロール圧縮機であり、過冷却用冷媒回路（220）において過冷却用冷媒を過冷却用熱交換器（210）へ搬送するポンプ機構を構成している。過冷却用圧縮機（221）には、インバータを介して電力が供給される。この過冷却用圧縮機（221）は、インバータの出力周波数を変化させて圧縮機モータの回転速度を変更することによって、その容量が変更可能となっている。過冷却用室外熱交換器（222）は、クロスフィン式のフィン・アンド・チューブ型熱交換器であり、熱源側熱交換器を構成している。この過冷却用室外熱交換器（222）では、過冷却用冷媒と室外空気の間で熱交換が行われる。過冷却用膨張弁（223）は、電子膨張弁によって構成されている。
【００９２】
過冷却用熱交換器（210）は、いわゆるプレート式熱交換器によって構成されている。過冷却用熱交換器（210）には、第１流路（211）と第２流路（212）とが複数ずつ形成されている。第１流路（211）には過冷却用冷媒回路（220）が、第２流路（212）には冷媒通路（205）がそれぞれ接続されている。そして、この過冷却用熱交換器（210）は、第１流路（211）を流れる過冷却用冷媒と、第２流路（212）を流れる冷凍装置（10）の冷媒とを熱交換させ、第２流路（212）の冷媒を過冷却する。
【００９３】
過冷却ユニット（200）には、各種のセンサや圧力スイッチが設けられている。具体的に、冷媒通路（205）における過冷却用熱交換器（210）の両側に温度検出手段としての温度センサ（237,238）を設けられている。冷媒通路（205）では、過冷却用熱交換器（210）よりも他端寄りの部分、即ち第２液側連絡配管（22）に接続する端部寄りの部分に第１冷媒温度センサ（237）が設けられている。また、この冷媒通路（205）では、過冷却用熱交換器（210）よりも一端寄りの部分、即ち第１液側連絡配管（21）に接続する端部寄りの部分に第２冷媒温度センサ（238）が設けられている。
【００９４】
また、過冷却ユニット（200）には、外気温度を検出する外気温センサ（231）と室外ファン（230）とが設けられている。過冷却用室外熱交換器（222）へは、この室外ファン（230）によって室外空気が送られる。
【００９５】
コントローラ（240）には、第１冷媒温度センサ（237）の検出値、第２冷媒温度センサ（238）の検出値、外気温センサ（231）の検出値などが入力されている。そして、このコントローラ（240）は、入力されたセンサの検出値に基づき、過冷却用圧縮機（221）の起動と停止とを制御するように構成されている。このコントローラ（240）には、室外ユニット（11）や空調ユニット（12）などで構成された冷凍装置（10）からの信号は一切入力されていない。つまり、コントローラ（240）は、過冷却ユニット（200）に設けられたセンサの検出値など、過冷却ユニット（200）の内部で得られた情報だけに基づいて過冷却用圧縮機（221）の運転容量制御を行う。
【００９６】
−冷凍システムの運転動作−
上記冷凍システムが行う運転動作のうち、主要なものについて説明する。
【００９７】
〈冷房運転〉
冷房運転は、冷蔵ショーケース（13）及び冷凍ショーケース（14）において庫内空気の冷却を行い、空調ユニット（12）で室内空気の冷却を行って店内を冷房する運転である。
【００９８】
図２に示すように、冷房運転中は、第１四路切換弁（51）、第２四路切換弁（52）、及び第３四路切換弁（53）がそれぞれ第１状態に設定される。また、室外膨張弁（46）が全閉される一方、空調膨張弁（102）、冷蔵膨張弁（112）、及び冷凍膨張弁（132）の開度がそれぞれ適宜調節される。この状態において、可変容量圧縮機（41）、第１固定容量圧縮機（42）、第２固定容量圧縮機（43）、及びブースタ圧縮機（141）が運転される。この冷房運転中には、過冷却ユニット（200）が運転状態となる。過冷却ユニット（200）の運転動作については後述する。
【００９９】
可変容量圧縮機（41）、第１固定容量圧縮機（42）、及び第２固定容量圧縮機（43）から吐出された冷媒は、第１四路切換弁（51）を通過して室外熱交換器（44）へ送られる。室外熱交換器（44）では、冷媒が室外空気へ放熱して凝縮する。室外熱交換器（44）で凝縮した冷媒は、第１液管（81）とレシーバ（45）と第２液管（82）とを順に通過して第１液側連絡配管（21）へ流入する。
【０１００】
第１液側連絡配管（21）へ流入した冷媒は、過冷却ユニット（200）の冷媒通路（205）へ流入する。冷媒通路（205）へ流入した冷媒は、過冷却用熱交換器（210）の第２流路（212）を通過する間に更に冷却される。過冷却用熱交換器（210）で冷却された過冷却状態の液冷媒は、第２液側連絡配管（22）を通って空調回路（100）と冷蔵回路（110）と冷凍回路（130）とに分配される。
【０１０１】
空調回路（100）へ流入した冷媒は、空調膨張弁（102）を通過する際に減圧されてから空調熱交換器（101）へ導入される。空調熱交換器（101）では、冷媒が室内空気から吸熱して蒸発する。その際、空調熱交換器（101）では、冷媒の蒸発温度が例えば５℃程度に設定される。空調ユニット（12）では、空調熱交換器（101）で冷却された室内空気が店内へ供給される。
【０１０２】
空調熱交換器（101）で蒸発した冷媒は、第２ガス側連絡配管（24）を通って室外回路（40）へ流入し、その後、第１四路切換弁（51）と第２四路切換弁（52）を順に通過して第３吸入管（63）へ流入する。第３吸入管（63）へ流入した冷媒は、その一部が第１分岐管（63a）を通って第２固定容量圧縮機（43）に吸入され、残りが第２分岐管（63b）と第３四路切換弁（53）と第２吸入管（62）とを順に通過して第１固定容量圧縮機（42）に吸入される。
【０１０３】
冷蔵回路（110）へ流入した冷媒は、冷蔵膨張弁（112）を通過する際に減圧されてから冷蔵熱交換器（111）へ導入される。冷蔵熱交換器（111）では、冷媒が庫内空気から吸熱して蒸発する。その際、冷蔵熱交換器（111）では、冷媒の蒸発温度が例えば−５℃程度に設定される。冷蔵熱交換器（111）で蒸発した冷媒は、第１ガス側連絡配管（23）へ流入する。冷蔵ショーケース（13）では、冷蔵熱交換器（111）で冷却された庫内空気が庫内へ供給され、庫内温度が例えば５℃程度に保たれる。
【０１０４】
冷凍回路（130）へ流入した冷媒は、冷凍膨張弁（132）を通過する際に減圧されてから冷凍熱交換器（131）へ導入される。冷凍熱交換器（131）では、冷媒が庫内空気から吸熱して蒸発する。その際、冷凍熱交換器（131）では、冷媒の蒸発温度が例えば−３０℃程度に設定される。冷凍ショーケース（14）では、冷凍熱交換器（131）で冷却された庫内空気が庫内へ供給され、庫内温度が例えば−２０℃程度に保たれる。
【０１０５】
冷凍熱交換器（131）で蒸発した冷媒は、ブースタ回路（140）へ流入してブースタ圧縮機（141）へ吸入される。ブースタ圧縮機（141）で圧縮された冷媒は、吐出管（144）を通って第１ガス側連絡配管（23）へ流入する。
【０１０６】
第１ガス側連絡配管（23）では、冷蔵回路（110）から送り込まれた冷媒と、ブースタ回路（140）から送り込まれた冷媒とが合流する。そして、これらの冷媒は、第１ガス側連絡配管（23）を通過して室外回路（40）の第１吸入管（61）へ流入する。第１吸入管（61）へ流入した冷媒は、その第１分岐管（61a）を通って可変容量圧縮機（41）に吸入される。
【０１０７】
〈暖房運転〉
暖房運転は、冷蔵ショーケース（13）及び冷凍ショーケース（14）において庫内空気の冷却を行い、空調ユニット（12）で室内空気の加熱を行って店内を暖房する運転である。
【０１０８】
図３に示すように、室外回路（40）では、第１四路切換弁（51）が第２状態に、第２四路切換弁（52）が第１状態に、第３四路切換弁（53）が第１状態にそれぞれ設定される。また、室外膨張弁（46）が全閉される一方、空調膨張弁（102）、冷蔵膨張弁（112）、及び冷凍膨張弁（132）の開度が適宜調節される。この状態において、可変容量圧縮機（41）及びブースタ圧縮機（141）が運転され、第１固定容量圧縮機（42）及び第２固定容量圧縮機（43）が休止する。また、室外熱交換器（44）は、冷媒が送り込まれずに休止状態となる。この第１暖房運転中には、過冷却ユニット（200）が停止状態となる。
【０１０９】
可変容量圧縮機（41）から吐出された冷媒は、第１四路切換弁（51）と第２ガス側連絡配管（24）と順に通って空調回路（100）の空調熱交換器（101）へ導入され、室内空気へ放熱して凝縮する。空調ユニット（12）では、空調熱交換器（101）で加熱された室内空気が店内へ供給される。空調熱交換器（101）で凝縮した冷媒は、第２液側連絡配管（22）を通って冷蔵回路（110）と冷凍回路（130）とに分配される。
【０１１０】
冷蔵ショーケース（13）及び冷凍ショーケース（14）では、上記冷房運転時と同様に、庫内空気の冷却が行われる。冷蔵回路（110）へ流入した冷媒は、冷蔵熱交換器（111）で蒸発した後に第１ガス側連絡配管（23）へ流入する。一方、冷凍回路（130）へ流入した冷媒は、冷凍熱交換器（131）で蒸発した後にブースタ圧縮機（141）で圧縮され、その後に第１ガス側連絡配管（23）へ流入する。第１ガス側連絡配管（23）へ流入した冷媒は、第１吸入管（61）を通過後に可変容量圧縮機（41）に吸入されて圧縮される。
【０１１１】
このように、第１暖房運転では、冷蔵熱交換器（111）及び冷凍熱交換器（131）において冷媒が吸熱し、空調熱交換器（101）において冷媒が放熱する。そして、冷蔵熱交換器（111）及び冷凍熱交換器（131）で冷媒が庫内空気から吸熱した熱を利用して、店内の暖房が行われる。
【０１１２】
なお、暖房運転中には、第１固定容量圧縮機（42）を運転してもよい。第１固定容量圧縮機（42）を運転するか否かは、冷蔵ショーケース（13）及び冷凍ショーケース（14）における冷却負荷に応じて決定される。
【０１１３】
このように、暖房運転中においては、外気温度が低く、冷凍装置（10）のみで所定の能力を十分に発揮できることから、冷房運転時のように過冷却用圧縮機（221）が使用されることはない。
【０１１４】
−過冷却ユニットの運転動作−
過冷却ユニット（200）の運転動作について説明する。過冷却ユニット（200）の運転状態では、過冷却用圧縮機（221）が運転されると共に、過冷却用膨張弁（223）の開度が適宜調節される。
【０１１５】
図１に示すように、過冷却用圧縮機（221）から吐出された過冷却用冷媒は、過冷却用室外熱交換器（222）で室外空気へ放熱して凝縮する。過冷却用室外熱交換器（222）で凝縮した過冷却用冷媒は、過冷却用膨張弁（223）を通過する際に減圧されてから過冷却用熱交換器（210）の第１流路（211）へ流入する。過冷却用熱交換器（210）の第１流路（211）では、過冷却用冷媒が第２流路（212）の冷媒から吸熱して蒸発する。過冷却用熱交換器（210）で蒸発した過冷却用冷媒は、過冷却用圧縮機（221）へ吸入されて圧縮される。
【０１１６】
上記コントローラ（240）には、外気温センサ（231）の検出値と、第１冷媒温度センサ（237）の検出値と、第２冷媒温度センサ（238）の検出値とが入力される。コントローラ（240）は、過冷却用圧縮機（221）の運転中における２つの冷媒温度センサ（237,238）の検出値を対比し、その比較結果から過冷却用熱交換器（210）を流れる冷凍装置（10）の冷媒状態である過冷却度を推定する。この過冷却度と外気温センサ（231）の検出した外気温度とに基づいて過冷却用圧縮機（221）の運転を継続させるか停止させるかを決定するように構成されている。
【０１１７】
このコントローラ（240）の制御動作について説明する。
【０１１８】
先ず、上記温度検出手段（237，238）によって検出された冷凍装置（10）の冷媒の過冷却度から、過冷却用熱交換器（210）を流れる冷凍装置（10）の冷媒状態を推定する。過冷却度が大きいときには、過冷却用熱交換器（210）によって冷凍装置（10）の冷媒が十分に冷やされていることから、冷凍装置（10）から過冷却用熱交換器（210）に流れ込む冷凍装置（10）の冷媒は少ないと判断することができる。このことから、制御手段（240）は、冷凍装置（10）での消費電力は小さいと推定することができる。
【０１１９】
一方、過冷却度が小さいときには、過冷却用熱交換器（210）によって冷凍装置（10）の冷媒が十分に冷やされていないことから、冷凍装置（10）から過冷却用熱交換器（210）に流れ込む冷凍装置（10）の冷媒は多いと判断することができる。このことから、冷凍装置（10）での消費電力は大きいと推定することができる。
【０１２０】
具体的には、図４に示すように、予め用意された推定曲線を用いて、コントローラ（240）は、過冷却度と、外気温度とから室外ユニット（11）の電力量を推定する。そして、室外ユニット（11）の電力量と過冷却用圧縮機（221）の電力量との合計を計算し、その合計が制限値内にあるかを判断する。この制限値は、他の電力消費機器との総計が契約電力量を超えないものとすればよい。
【０１２１】
コントローラ（240）は、室外ユニット（11）の電力量と過冷却用圧縮機（221）の電力量との合計が制限値を超えたと判断したときには、過冷却用圧縮機（221）の運転を停止させる。一方、室外ユニット（11）の電力量と過冷却用圧縮機（221）の電力量との合計が制限値を超えないと判断したときには、過冷却用圧縮機（221）の運転を継続させる。      
【０１２２】
なお、本実施形態では、過冷却用圧縮機（221）の運転を停止させることにより、冷凍システム全体の電力量を制限値内に低減するようにしたが、過冷却用圧縮機（221）の運転周波数を低下させて冷凍システム全体の電力量を低減するようにしてもよい。つまり、本発明は、直接、過冷却用圧縮機（221）の運転周波数を低減することによって該過冷却用圧縮機（221）の消費電力を低減するようにしたものである。
【０１２３】
−実施形態１の効果−
上記過冷却ユニット（200）において、コントローラ（240）は、過冷却ユニット（200）に設けられたセンサの検出値など、過冷却ユニット（200）内で得られる情報だけに基づいて過冷却用圧縮機（221）の運転を制御している。つまり、この過冷却ユニット（200）では、冷凍装置（10）との間で信号の授受などを行わなくても、冷凍装置（10）の運転状態に応じて過冷却用圧縮機（221）の運転を制御することが可能となる。このため、上記過冷却ユニット（200）を冷凍装置（10）に取り付ける際には、冷凍装置（10）の第１，第２液側連絡配管（21,22）に過冷却ユニット（200）の冷媒通路（205）を接続するだけでよく、冷凍装置（10）と過冷却ユニット（200）との間で信号を授受するための通信用配線を敷設する必要が無くなる。
【０１２４】
したがって、本発明によれば、過冷却装置（200）を冷凍装置（10）に取り付ける際の作業工数を削減することができ、更に誤配線などの設置作業時の人的ミスに起因するトラブルを未然に防止しながら、契約電力内で過冷却装置を運転して冷凍装置（10）を補助し、その冷却能力を増大させることができる。
【０１２５】
−実施形態１の各変形例−
各変形例（変形例１〜５）は、冷凍装置（10）の冷媒の過冷却度以外の各種パラメータに基いて室外ユニット（11）の電力量を推定するようにしたものである。
【０１２６】
−変形例１−
本変形例１の過冷却ユニット（200）では、図示しないが、冷媒通路（205）に流量検出手段としての流量センサを設け、この流量センサが検出した冷媒通路（205）の流量に基づいて過冷却用圧縮機（221）を運転制御するようにしてもよい。つまり、流量センサの検出流量は、過冷却用熱交換器（210）を流れる冷凍装置（10）の冷媒状態を示す。
【０１２７】
具体的には、この過冷却ユニット（200）では、流量センサの検出値と外気温センサ（231）の検出値とがコントローラ（240）に入力される。図５に示すように、予め用意された推定曲線を用いて、コントローラ（240）は、流量センサの検出値と外気温センサ（231）の検出値とから室外ユニット（11）の電力量を推定する。そして、この推定された室外ユニット（11）の電力量と過冷却用圧縮機（221）の電力量との合計を計算し、その合計が制限値内にあるかを判断する。この制限値は、他の電力消費機器との総計が契約電力量を超えないものとすればよい。
【０１２８】
コントローラ（240）は、室外ユニット（11）の電力量と過冷却用圧縮機（221）の電力量との合計が制限値を超えたと判断したときには、過冷却用圧縮機（221）の運転を停止させる。一方、室外ユニット（11）の電力量と過冷却用圧縮機（221）の電力量との合計が制限値を超えないと判断したときには、過冷却用圧縮機（221）の運転を継続させる。
【０１２９】
−変形例２−
本変形例２の過冷却ユニット（200）では、図示しないが、過冷却用冷媒回路（220）における過冷却用熱交換器（210）の両側、つまり第１流路（211）の上下流側に過冷却用冷媒の温度検出手段として温度センサを設け、これら２つの温度センサが検出した検出温度の差に基づいて過冷却用圧縮機（221）を運転制御するようにしてもよい。すなわち、上記検出した過冷却用冷媒の温度差は、冷凍装置（10）の冷媒を過冷却する前と過冷却した後の過冷却用冷媒の温度差であり、過冷却用冷媒回路（220）における過冷却用冷媒の状態を示す。
【０１３０】
この過冷却ユニット（200）では、各温度センサの検出値と外気温センサ（231）の検出値とがコントローラ（240）に入力される。コントローラ（240）は、図示しないが、予め用意された推定曲線を用いて、各温度センサの検出値の差と外気温センサ（231）の検出値とから室外ユニット（11）の電力量を推定する。例えば、各温度センサの検出値の差が大きい場合、過冷却用熱交換器（210）で冷凍装置（10）の冷媒が十分に冷却されていることから、過冷却用熱交換器（210）における冷凍装置（10）の冷媒流量が少ないと判断され、冷凍装置（10）の消費電力が小さいと推定される。また、各温度センサの検出値の差が小さい場合、過冷却用熱交換器（210）で冷凍装置（10）の冷媒が十分に冷却されていないことから、過冷却用熱交換器（210）における冷凍装置（10）の冷媒流量が多いと判断され、冷凍装置（10）での消費電力が大きいと推定される。
【０１３１】
−変形例３−
本変形例３の過冷却ユニット（200）では、図示しないが、過冷却用冷媒回路（220）における過冷却用熱交換器（210）の入口側または出口側に流量検出手段としての流量センサを設け、この検出流量に基づいて過冷却用圧縮機（221）を運転制御するようにしてもよい。すなわち、検出流量は過冷却用冷媒の状態である過冷却用熱交換器（210）を流れる過冷却用冷媒の流量を示す。
【０１３２】
この過冷却ユニット（200）では、流量センサの検出値と外気温センサ（231）の検出値とがコントローラ（240）に入力される。コントローラ（240）は、図示しないが、予め用意された推定曲線を用いて、流量センサの検出値と外気温センサ（231）の検出値とから室外ユニット（11）の電力量を推定する。例えば、流量センサの検出値が小さい場合、過冷却用熱交換器（210）における冷凍装置（10）の冷媒流量も少ないと判断され、冷凍装置（10）の消費電力が小さいと推定される。また、流量センサの検出値が大きい場合、過冷却用熱交換器（210）における冷凍装置（10）の冷媒流量も多いと判断され、冷凍装置（10）での消費電力が大きいと推定される。
【０１３３】
−変形例４−
本変形例４の過冷却ユニット（200）では、図示しないが、過冷却用冷媒回路（220）における過冷却用冷媒の高圧圧力を検出する圧力検出手段としての圧力センサを設け、この検出圧力に基づいて過冷却用圧縮機（221）を運転制御するようにしてもよい。すなわち、検出圧力は、過冷却用冷媒の状態を示す。
【０１３４】
この過冷却ユニット（200）では、圧力センサの検出値と外気温センサ（231）の検出値とがコントローラ（240）に入力される。コントローラ（240）は、図示しないが、予め用意された推定曲線を用いて、圧力センサの検出値と外気温センサ（231）の検出値とから室外ユニット（11）の電力量を推定する。例えば、圧力センサの検出値が小さい場合、過冷却用室外熱交換器（222）および過冷却用熱交換器（210）における過冷却用冷媒の流量が少なく、過冷却用熱交換器（210）における冷凍装置（10）の冷媒流量も少ないと判断される。したがって、冷凍装置（10）の消費電力が小さいと推定される。また、圧力センサの検出値が大きい場合、過冷却用室外熱交換器（222）および過冷却用熱交換器（210）における過冷却用冷媒の流量が多く、過冷却用熱交換器（210）における冷凍装置（10）の冷媒流量も多いと判断される。したがって、冷凍装置（10）での消費電力が大きいと推定される。
【０１３５】
−変形例５−
本変形例５の過冷却ユニット（200）では、図示しないが、過冷却用冷媒回路（220）における過冷却用冷媒の高圧圧力および低圧圧力を検出する圧力検出手段としての２つの圧力センサを設け、これら２つの検出圧力の差に基づいて過冷却用圧縮機（221）を運転制御するようにしてもよい。すなわち、この検出圧力の差は、過冷却用冷媒の状態を示す。
【０１３６】
この過冷却ユニット（200）では、各圧力センサの検出値と外気温センサ（231）の検出値とがコントローラ（240）に入力される。コントローラ（240）は、図示しないが、予め用意された推定曲線を用いて、各圧力センサの検出値の差と外気温センサ（231）の検出値とから室外ユニット（11）の電力量を推定する。例えば、各圧力センサの検出値の差が小さい場合、低圧圧力は過冷却用膨張弁（223）の開度制御によってほぼ一定に維持されているので、高圧圧力も通常より低いと判断され、上述したように過冷却用熱交換器（210）における冷凍装置（10）の冷媒流量も少ないと判断される。したがって、冷凍装置（10）の消費電力が小さいと推定される。また、各圧力センサの検出値の差が大きい場合、高圧圧力が通常より高いと判断され、上述したように過冷却用熱交換器（210）における冷凍装置（10）の冷媒流量も多いと判断される。したがって、冷凍装置（10）での消費電力が大きいと推定される。
【０１３７】
《発明の実施形態２》
本実施形態２の過冷却ユニット（200）は、上記実施形態１が直接過冷却用圧縮機（221）の運転を停止させて該過冷却用圧縮機（221）の消費電力を低減するようにしたのに代えて、過冷却用室外熱交換器（222）の室外ファン（230）の運転周波数を増大させることによって過冷却用圧縮機（221）の消費電力を低減するようにしたものである。つまり、本実施形態では、過冷却用圧縮機（221）の運転周波数は一定である。
【０１３８】
具体的に、コントローラ（240）は、冷凍装置（10）の冷媒の過冷却度が大きい場合、冷凍装置（10）の消費電力が小さいと推定され、室外ファン（230）の運転周波数を変化させない。一方、コントローラ（240）は、過冷却度が小さい場合、冷凍装置（10）の消費電力が大きいと推定され、室外ファン（230）の運転周波数を増大させて大風量にする。これにより、過冷却用冷媒回路（220）における過冷却用冷媒の高圧圧力が低下する。つまり、過冷却用圧縮機（221）の吐出圧力が低下する。したがって、過冷却用圧縮機（221）において、圧縮仕事量が減少するため、消費電力が低減される。この結果、冷凍装置（10）との間で信号の授受などを行わなくても、冷凍装置（10）の運転状態に応じて過冷却用圧縮機（221）の運転を制御することができ、室外ユニット（11）の電力量と過冷却用圧縮機（221）の電力量との合計が制限値内とすることができる。
【０１３９】
なお、本実施形態では、室外ファン（230）の運転周波数を増大させると、室外ファン（230）の消費電力は増大するが、その増大量よりも過冷却用圧縮機（221）における消費電力の低減量が極めて大きいため、過冷却ユニット（200）の消費電力を確実に低減させることができる。また、上記実施形態１の各変形例において、冷凍装置（10）の消費電力が大きいと推定されると、室外ファン（230）を同様に制御する。
【０１４０】
《発明の実施形態３》
本実施形態３の冷凍システムは、図示しないが、上記実施形態１では冷却用流体回路を過冷却用冷媒が循環する冷媒回路により構成したが、これに代えて冷却水が流れる冷却水回路により構成するようにしたものである。具体的に、この冷却水回路は、過冷却用熱交換器（210）およびポンプを備え、該ポンプによってクーリングタワーの冷却水が過冷却用熱交換器（210）へ搬送される。そして、上記過冷却用熱交換器（210）において、冷却水が冷媒通路（205）の冷媒と熱交換して該冷媒を冷却する。つまり、本実施形態の冷却用流体回路では、冷却水が冷却用流体として流れる。
【０１４１】
この場合、コントローラ（240）は、冷凍装置（10）の冷媒の過冷却度と外気温度とに基づいてポンプの運転容量を調節する。具体的に、コントローラ（240）は、過冷却度が大きい場合、ポンプの運転周波数は変化させない。また、過冷却度が小さい場合、ポンプの運転周波数を低下させてポンプの運転容量を低減する。これにより、ポンプの消費電力を低減させることができる。この結果、冷凍装置（10）との間で信号の授受などを行わなくても、冷凍装置（10）の運転状態に応じてポンプの運転を制御することができ、システム全体の電力量を制限値内にすることができる。
【０１４２】
なお、以上の実施形態およびその変形例は、本質的に好ましい例示であって、本発明、その適用物、あるいはその用途の範囲を制限することを意図するものではない。
【産業上の利用可能性】
【０１４３】
以上説明したように、本発明は、冷凍装置の冷媒を過冷却熱交換器で過冷却する過冷却装置について有用である。
【図面の簡単な説明】
【０１４４】
【図１】過冷却ユニットを備えた冷凍システムの構成を示す配管系統図である。
【図２】冷凍システムの冷房運転時の動作を示す配管系統図である。
【図３】冷凍システムの暖房運転時の動作を示す配管系統図である。
【図４】室外ユニットの電力量の変化を示すグラフである。
【図５】実施形態の変形例における室外ユニットの電力量の変化を示すグラフである。
【符号の説明】
【０１４５】
（10）  冷凍装置
（200） 過冷却ユニット（過冷却装置）
（210） 過冷却用熱交換器
（220） 過冷却回路（冷却用流体回路）
（221） 過冷却用圧縮機（ポンプ機構）
（222） 過冷却用室外熱交換器（熱源側熱交換器）
（230） 室外ファン（ファン）
（240） コントローラ（制御手段）
【図１】
2006071269.tif 000003
【図２】
2006071269.tif 000004
【図３】
2006071269.tif 000005
【図４】
2006071269.tif 000006
【図５】
2006071269.tif 000007
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
過冷却用熱交換器（210）と、該過冷却用熱交換器（210）へ冷却用流体を搬送するポンプ機構（221）とを有する冷却用流体回路（220）を備え、冷凍装置（10）の冷媒を過冷却用熱交換器（210）で冷却用流体と熱交換させて過冷却する過冷却装置であって、
上記冷凍装置（10）からの信号を受信することなく、上記過冷却用熱交換器（210）を流れる冷凍装置（10）の冷媒の状態または冷却用流体回路（220）の冷却用流体の状態と外気温度とに基づいて上記ポンプ機構（221）の消費電力を低減する制御手段（240）を備えている
ことを特徴とする過冷却装置。
【請求項２】
請求項１に記載の過冷却装置において、
上記制御手段（240）は、過冷却用熱交換器（210）を流れる冷凍装置（10）の冷媒の状態または冷却用流体回路（220）の冷却用流体の状態と外気温度とに基づいて冷凍装置（10）の消費電力を推定し、上記ポンプ機構（221）の消費電力を低減するように構成されている
ことを特徴とする過冷却装置。
【請求項３】
請求項１に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記制御手段（240）は、上記過冷却用熱交換器（210）を流れる冷凍装置（10）の冷媒の状態または過冷却用冷媒回路（220）の過冷却用冷媒の状態と外気温度とに基づいて上記圧縮機（221）の運転周波数を低下させることによって該圧縮機（221）の消費電力を低減するように構成されている
ことを特徴とする過冷却装置。
【請求項４】
請求項１に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記制御手段（240）は、上記過冷却用熱交換器（210）を流れる冷凍装置（10）の冷媒の状態または過冷却用冷媒回路（220）の過冷却用冷媒の状態と外気温度とに基づいて上記熱源側熱交換器（222）のファン（230）の運転周波数を増大させることによって上記圧縮機（221）の消費電力を低減するように構成されている
ことを特徴とする過冷却装置。
【請求項５】
請求項１又は２に記載の過冷却装置において、
上記過冷却用熱交換器（210）を流れる冷凍装置（10）の冷媒の状態は、過冷却用熱交換器（210）における冷凍装置（10）の冷媒の過冷却度である
ことを特徴とする過冷却装置。
【請求項６】
請求項１又は２に記載の過冷却装置において、
上記過冷却用熱交換器（210）を流れる冷凍装置（10）の冷媒の状態は、過冷却用熱交換器（210）を流れる冷凍装置（10）の冷媒流量である
ことを特徴とする過冷却装置。
【請求項７】
請求項１又は２に記載の過冷却装置において、
上記冷却用流体回路（220）の冷却用流体の状態は、過冷却用熱交換器（210）で冷凍装置（10）の冷媒を過冷却する前と過冷却した後の冷却用流体の温度差である
ことを特徴とする過冷却装置。
【請求項８】
請求項１又は２に記載の過冷却装置において、
上記冷却用流体回路（220）の冷却用流体の状態は、過冷却用熱交換器（210）を流れる冷却用流体の流量である
ことを特徴とする過冷却装置。
【請求項９】
請求項１又は２に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記過冷却用冷媒回路（220）の過冷却用冷媒の状態は、過冷却用冷媒回路（220）における過冷却用冷媒の高圧圧力である
ことを特徴とする過冷却装置。
【請求項１０】
請求項１又は２に記載の過冷却装置において、
上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）であり、
上記過冷却用冷媒回路（220）の過冷却用冷媒の状態は、過冷却用冷媒回路（220）における過冷却用冷媒の高圧圧力および低圧圧力の圧力差である
ことを特徴とする過冷却装置。
【手続補正２】
【補正対象書類名】明細書
【補正対象項目名】全文
【補正方法】変更
【補正の内容】
【発明の詳細な説明】
【技術分野】
【０００１】
過冷却用熱交換器（210）を有する冷媒回路（220）を備え、蒸気圧縮式冷凍サイクルを行い、冷凍装置（10）の冷媒を過冷却用熱交換器（210）を介して過冷却する過冷却装置に関する。
【背景技術】
【０００２】
従来より、冷却能力の増大を目的として冷凍装置に取り付けられ、この冷凍装置の熱源側機器から利用側機器へ送られる冷凍装置の冷媒を冷却する過冷却装置が知られている。
【０００３】
例えば、特許文献１に開示された過冷却装置は、室外ユニットと室内ユニットとを備えた空気調和機に取り付けられている。具体的に、この過冷却装置は、室外ユニットと室内ユニットを接続する液側の連絡配管の途中に設けられると共に、過冷却回路を備えている。この過冷却装置は、過冷却回路で冷媒を循環させて冷凍サイクルを行い、液側の連絡配管から送り込まれた空調機の冷媒を過冷却回路の蒸発器で冷却する。そして、この過冷却装置は、空調機の室外ユニットから室内ユニットへ送られる液冷媒を冷却し、室内ユニットへ送られる液冷媒のエンタルピを低下させることによって冷房能力を向上させている。
【０００４】
上述のように、上記過冷却装置は、空気調和機などの冷凍装置を補助してその冷却能力を増大させるためのものである。このため、冷凍装置の停止中に過冷却装置だけを運転することはない。また、空気調和機の暖房運転のように冷凍装置がヒートポンプとして動作する状態で過冷却装置を運転することもない。このように、過冷却装置を運転すべきか否かを決めるには、過冷却装置が取り付けられた冷凍装置の運転状態を知る必要がある。
【０００５】
そこで、特許文献１に開示された従来の過冷却装置では、過冷却装置の制御部を空気調和機の制御部と接続して１つの制御システムを構成している。この過冷却装置の制御部へは、空気調和機の運転状態を示す信号が空気調和機の制御部から入力される。そして、この過冷却装置では、空気調和機の制御部から入力された信号に基づいて、その運転制御が行われる。
【特許文献１】特開平１０−１８５３３３号公報
【発明の開示】
【発明が解決しようとする課題】
【０００６】
ところで、契約電力の制限がある場所に過冷却装置を備える冷凍装置を設けた場合、特に夏場は使用電力が過大となることから、冷却装置の使用する電力と過冷却装置の使用する電力との合計を制限したいという強い要望がある。
【０００７】
このような場合に、従来の過冷却装置のように、それが取り付けられる冷凍装置との間で信号の授受を行って冷却装置の使用する電力と過冷却装置の使用する電力との合計を検出しようとすると、過冷却装置を冷凍装置に取り付ける際には、両者間で送受信される信号を伝送するための配線工事が必要となり、過冷却装置の設置作業が繁雑であるという問題があった。また、過冷却装置を設置する際に誤配線が生じる可能性もあり、このような設置作業のミスに起因するトラブルを招くおそれもあった。
【０００８】
本発明は、かかる点に鑑みてなされたものであり、その目的とするところは、取り付け対象の冷凍装置との間で信号の授受を行うことなく、所定の電力制限値内で過冷却装置の運転制御を可能とすることにある。
【課題を解決するための手段】
【０００９】
具体的には、第１の発明では、過冷却用熱交換器（210）と、該過冷却用熱交換器（210）へ冷却用流体を搬送するポンプ機構（221）とを有する冷却用流体回路（220）を備え、冷凍装置（10）の冷媒を過冷却用熱交換器（210）で冷却用流体と熱交換させて過冷却する過冷却装置を対象とする。
【００１０】
そして、上記冷凍装置（10）からの信号を受信することなく、上記過冷却用熱交換器（210）を流れる冷凍装置（10）の冷媒の状態または冷却用流体回路（220）の冷却用流体の状態と外気温度とに基づいて上記ポンプ機構（221）の消費電力を低減する制御手段（240）を備えている。
【００１１】
上記の構成によると、過冷却装置（200）の冷却用流体回路（220）では、冷凍装置（10）の冷媒を過冷却するための冷媒や水等の冷却用流体がポンプ機構（221）によって過冷却用熱交換器（210）へ供給される。過冷却用熱交換器（210）では、冷凍装置（10）の冷媒が冷却用流体と熱交換する。そして、過冷却用熱交換器（210）では、冷却用流体が冷凍装置（10）の冷媒から吸熱し、冷凍装置（10）の冷媒が冷却される。
【００１２】
この発明の過冷却装置（200）では、制御手段（240）が、上記冷凍装置（10）からの信号を受信することなく、過冷却用熱交換器（210）を流れる冷凍装置（10）の冷媒状態または冷却用流体回路（220）の冷却用流体の状態と外気温度とに応じてポンプ機構（221）の消費電力を低減する。すなわち、過冷却装置（200）で得られる情報のみに基づいてポンプ機構（221）の運転制御が行われる。このため、制御手段（240）は、冷凍装置（10）の運転状態に関する信号を冷凍装置（10）から受けることなく、ポンプ機構（221）の消費電力を低減できる。
【００１３】
第２の発明では、上記第１の発明において、上記制御手段（240）は、過冷却用熱交換器（210）を流れる冷凍装置（10）の冷媒の状態または冷却用流体回路（220）の冷却用流体の状態と外気温度とに基づいて冷凍装置（10）の消費電力を推定し、上記ポンプ機構（221）の消費電力を低減するように構成されている。
【００１４】
上記の構成によると、制御手段（240）によって過冷却用熱交換器（210）を流れる冷凍装置（10）の冷媒状態または冷却用流体回路（220）の冷却用流体の状態と外気温度とに基づいて、大まかな冷凍装置（10）の運転状態を予測して、その消費電力を推定する。この推定された冷凍装置（10）の消費電力と冷却用流体回路（220）のポンプ機構（221）の消費電力との合計が所定値を超えないように、制御手段（240）がポンプ機構（221）の消費電力を低減する。
【００１５】
第３の発明では、上記第１の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００１６】
そして、上記制御手段（240）は、上記過冷却用熱交換器（210）を流れる冷凍装置（10）の冷媒の状態または過冷却用冷媒回路（220）の過冷却用冷媒の状態と外気温度とに基づいて上記圧縮機（221）の運転周波数を低下させることによって該圧縮機（221）の消費電力を低減するように構成されている。
【００１７】
上記の構成によると、過冷却用冷媒回路（220）において、圧縮機（221）より吐出された過冷却用冷媒が熱源側熱交換器（222）で例えば空気と熱交換し、その後過冷却用熱交換器（210）で冷凍装置（10）の冷媒と熱交換して再び圧縮機（221）へ戻る循環を繰り返す。過冷却用熱交換器（210）では、過冷却用冷媒が冷凍装置（10）の冷媒から吸熱して蒸発し、冷凍装置（10）の冷媒が冷却される。
【００１８】
そして、制御手段（240）により、冷凍装置（10）から運転状態に関する信号を受けることなく、過冷却用熱交換器（210）を流れる冷凍装置（10）の冷媒の状態または過冷却用冷媒回路（220）の過冷却用冷媒の状態と外気温度とに基づいて圧縮機（221）の運転周波数を低下させて運転容量を減少させる。
【００１９】
第４の発明では、上記第１の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００２０】
そして、上記制御手段（240）は、上記過冷却用熱交換器（210）を流れる冷凍装置（10）の冷媒の状態または過冷却用冷媒回路（220）の過冷却用冷媒の状態と外気温度とに基づいて上記熱源側熱交換器（222）のファン（230）の運転周波数を増大させることによって上記圧縮機（221）の消費電力を低減するように構成されている。
【００２１】
上記の構成によると、過冷却用冷媒回路（220）において、圧縮機（221）より吐出された過冷却用冷媒が熱源側熱交換器（222）でファン（230）によって取り込まれた空気と熱交換し、その後過冷却用熱交換器（210）で冷凍装置（10）の冷媒と熱交換して再び圧縮機（221）へ戻る循環を繰り返す。
【００２２】
そして、制御手段（240）により、過冷却用熱交換器（210）を流れる冷凍装置（10）の冷媒の状態または過冷却用冷媒回路（220）の過冷却用冷媒の状態と外気温度とに基づいて熱源側熱交換器（222）のファン（230）の運転周波数を増大させて風量を増大させる。その際、圧縮機（221）の運転容量は変化させない。これにより、過冷却用冷媒回路（220）における過冷却用冷媒の高圧圧力が低下するため、圧縮機（221）における圧縮負荷が減少し、該圧縮機（221）の消費電力が低減される。つまり、圧縮機（221）において、吐出圧力を低下させることにより、圧縮の仕事量が減少する。
【００２３】
第５の発明では、上記第１又は第２の発明において、上記過冷却用熱交換器（210）を流れる冷凍装置（10）の冷媒の状態は、過冷却用熱交換器（210）における冷凍装置（10）の冷媒の過冷却度である。
【００２４】
上記の構成によると、過冷却用熱交換器（210）で過冷却される前の冷凍装置（10）の冷媒の温度と過冷却された後の冷凍装置（10）の冷媒の温度との差が過冷却度として検出される。そして、この過冷却度から過冷却用熱交換器（210）を流れる冷凍装置（10）の冷媒状態を推定する。
【００２５】
具体的に、過冷却度が大きいときには、過冷却用熱交換器（210）で冷凍装置（10）の冷媒が十分に冷却されていることから、冷凍装置（10）から過冷却用熱交換器（210）に流れ込む冷凍装置（10）の冷媒流量が少ないと判断することができる。このことから、制御手段（240）は、冷凍装置（10）での消費電力は小さいと推定することができる。このときには、ポンプ機構（221）の消費電力を低減しない。一方、過冷却度が小さいときには、過冷却用熱交換器（210）で冷凍装置（10）の冷媒が十分に冷却されていないことから、冷凍装置（10）から過冷却用熱交換器（210）に流れ込む冷凍装置（10）の冷媒流量が多いと判断することができる。このことから、冷凍装置（10）での消費電力は大きいと推定することができる。このときには、制御手段（240）は、ポンプ機構（221）の消費電力を低減し、ポンプ機構（221）の消費電力と冷凍装置（10）の消費電力との合計を所定値内に抑える。
【００２６】
第６の発明では、上記第１又は第２の発明において、上記過冷却用熱交換器（210）を流れる冷凍装置（10）の冷媒の状態は、過冷却用熱交換器（210）を流れる冷凍装置（10）の冷媒流量である。
【００２７】
上記の構成によると、直接、過冷却用熱交換器（210）を流れる冷媒流量が検出される。この冷媒流量から過冷却用熱交換器（210）を流れる冷凍装置（10）の冷媒状態が推定される。そして、制御手段（240）が、この冷媒流量と外気温度とに基づいて、ポンプ機構（221）の消費電力を低減して、ポンプ機構（221）の消費電力と冷凍装置（10）の消費電力との合計を所定値内に抑える。
【００２８】
第７の発明では、上記第１又は第２の発明において、上記冷却用流体回路（220）の冷却用流体の状態は、過冷却用熱交換器（210）で冷凍装置（10）の冷媒を過冷却する前と過冷却した後の冷却用流体の温度差である。
【００２９】
上記の構成によると、冷却用流体回路（220）において過冷却する前と過冷却した後の冷却用流体の温度差が検出される。この冷却用流体の温度差から過冷却用熱交換器（210）を流れる冷凍装置（10）の冷媒状態が推定される。
【００３０】
具体的に、冷却用流体の温度差が大きい場合、過冷却用熱交換器（210）で冷凍装置（10）の冷媒が十分に冷却されていることから、過冷却用熱交換器（210）を流れる冷凍装置（10）の冷媒流量が少ないと判断することができる。したがって、制御手段（240）は、冷凍装置（10）での消費電力が小さいと推定し、ポンプ機構（221）の消費電力を低減しない。一方、冷却用流体の温度差が小さい場合、過冷却用熱交換器（210）で冷凍装置（10）の冷媒が十分に冷却されていないことから、過冷却用熱交換器（210）を流れる冷凍装置（10）の冷媒流量が多いと判断することができる。したがって、制御手段（240）は、冷凍装置（10）での消費電力が大きいと推定し、ポンプ機構（221）の消費電力を低減し、ポンプ機構（221）の消費電力と冷凍装置（10）の消費電力との合計を所定値内に抑える。
【００３１】
第８の発明では、上記第１又は第２の発明において、上記冷却用流体回路（220）の冷却用流体の状態は、過冷却用熱交換器（210）を流れる冷却用流体の流量である。
【００３２】
上記の構成によると、過冷却用熱交換器（210）を流れる冷却用流体の流量から過冷却用熱交換器（210）を流れる冷凍装置（10）の冷媒状態が推定される。具体的に、冷却用流体の流量が少ない場合、過冷却用熱交換器（210）を流れる冷媒流量も少ないと判断することができる。この場合、制御手段（240）は、冷凍装置（10）での消費電力が小さいと推定し、ポンプ機構（221）の消費電力を低減しない。一方、冷却用流体の流量が多い場合、過冷却用熱交換器（210）を流れる冷媒流量も多いと判断することができる。この場合、制御手段（240）は、冷凍装置（10）での消費電力が大きいと推定し、ポンプ機構（221）の消費電力を低減してポンプ機構（221）の消費電力と冷凍装置（10）の消費電力との合計を所定値内に抑える。
【００３３】
第９の発明では、上記第１又は第２の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００３４】
そして、上記過冷却用冷媒回路（220）の過冷却用冷媒の状態は、過冷却用冷媒回路（220）における過冷却用冷媒の高圧圧力である。
【００３５】
上記の構成によると、過冷却用冷媒の高圧圧力から過冷却用熱交換器（210）を流れる冷凍装置（10）の冷媒状態が推定される。つまり、その高圧圧力が低いときは、過冷却用熱交換器（210）における熱交換量が少なくなり、冷凍装置（10）の冷媒流量が少ないと判断され、冷凍装置（10）の消費電力が小さいと推定される。また、高圧圧力が高いときは、制御手段（240）により、過冷却用熱交換器（210）における熱交換量が多くなり、冷凍装置（10）の冷媒流量が多いと判断され、冷凍装置（10）の消費電力が大きいと推定される。したがって、圧縮機（221）の消費電力が低減される。
【００３６】
第１０の発明では、上記第１又は第２の発明において、上記冷却用流体回路は、ポンプ機構としての圧縮機（221）と熱源側熱交換器（222）とを有し、冷却用流体としての過冷却用冷媒が循環して蒸気圧縮式冷凍サイクルを行う過冷却用冷媒回路（220）である。
【００３７】
そして、上記過冷却用冷媒回路（220）の過冷却用冷媒の状態は、過冷却用冷媒回路（220）における過冷却用冷媒の高圧圧力および低圧圧力の圧力差である。
【００３８】
上記の構成によると、過冷却用冷媒の高圧圧力および低圧圧力の圧力差から過冷却用熱交換器（210）を流れる冷凍装置（10）の冷媒状態が推定される。具体的に、その圧力差が大きい場合、低圧圧力は膨張弁等によってほぼ一定に維持されているので、高圧圧力が通常より低いと判断され、過冷却用熱交換器（210）を流れる冷凍装置（10）の冷媒流量が少ないと判断される。そして、冷凍装置（10）の消費電力が小さいと推定される。また、圧力差が大きい場合、高圧圧力が通常より高いと判断され、過冷却用熱交換器（210）を流れる冷凍装置（10）の冷媒流量が多いと判断される。そして、冷凍装置（10）の消費電力が大きいと推定され、圧縮機（221）の消費電力が低減される。
【発明の効果】
【００３９】
以上説明したように、本発明の過冷却装置において、制御手段（240）が、冷凍装置（10）からの信号を受信することなく、過冷却用熱交換器（210）を流れる冷凍装置（10）の冷媒の状態または冷却用流体回路（220）の冷却用流体の状態と外気温度とに基づいて、冷却用流体回路（220）のポンプ機構（221）の消費電力を低減している。このため、制御手段（240）は、冷凍装置（10）の運転状態に関する信号を冷凍装置（10）から受けることなく、圧縮機等のポンプ機構（221）の消費電力を低減することができるので、本発明の過冷却装置（200）を冷凍装置（10）に取り付ける際には、冷凍装置（10）と過冷却装置（200）との間で信号を授受するための通信用配線を敷設する必要がない。
【００４０】
したがって、本発明によれば、過冷却装置（200）を冷凍装置（10）に取り付ける際の作業工数を削減することができ、更に誤配線などの設置作業時の人的ミスに起因するトラブルを未然に防止しながら、契約電力内で過冷却装置を運転して冷凍装置（10）を補助し、その冷却能力を増大させることができる。
【発明を実施するための最良の形態】
【００４１】
以下、本発明の実施形態を図面に基づいて詳細に説明する。
【００４２】
《発明の実施形態１》
本実施形態１の冷凍システムは、コンビニエンスストアなどに設置されて、店内の空気調和とショーケース内の冷却とを行うものである。この冷凍システムは、本発明に係る過冷却装置としての過冷却ユニット（200）と、この過冷却ユニット（200）が取り付けられた冷凍装置（10）とによって構成されている。
【００４３】
図１に示すように、上記冷凍システムには、室外ユニット（11）と、空調ユニット（12）と、冷蔵ショーケース（13）と、冷凍ショーケース（14）と、ブースタユニット（15）と、過冷却ユニット（200）とが設けられている。そして、室外ユニット（11）と、空調ユニット（12）と、冷蔵ショーケース（13）と、冷凍ショーケース（14）と、ブースタユニット（15）とが冷凍装置（10）を構成している。この冷凍システムでは、室外ユニット（11）と過冷却ユニット（200）とが屋外に設置され、残りの空調ユニット（12）などがコンビニエンスストアなどの店内に設置される。
【００４４】
室外ユニット（11）には室外回路（40）が、空調ユニット（12）には空調回路（100）が、冷蔵ショーケース（13）には冷蔵回路（110）が、冷凍ショーケース（14）には冷凍回路（130）が、ブースタユニット（15）にはブースタ回路（140）がそれぞれ設けられている。また、過冷却ユニット（200）には、冷媒通路（205）が設けられている。冷凍システムでは、これらの回路（40,100,…）や過冷却ユニット（200）の冷媒通路（205）を配管で接続することによって冷凍装置（10）の冷媒回路（20）が構成されている。
【００４５】
また、冷媒回路（20）には、第１液側連絡配管（21）と、第２液側連絡配管（22）と、第１ガス側連絡配管（23）と、第２ガス側連絡配管（24）とが設けられている。
【００４６】
第１液側連絡配管（21）は、過冷却ユニット（200）の冷媒通路（205）の一端を室外回路（40）に接続している。第２液側連絡配管（22）の一端は、冷媒通路（205）の他端に接続している。第２液側連絡配管（22）の他端は、３つに分岐して空調回路（100）と冷蔵回路（110）と冷凍回路（130）とに接続している。第２液側連絡配管（22）のうち冷凍回路（130）に接続する分岐管には、液側閉鎖弁（25）が設けられている。
【００４７】
第１ガス側連絡配管（23）の一端は、２つに分岐して冷蔵回路（110）とブースタ回路（140）とに接続している。第１ガス側連絡配管（23）のうちブースタ回路（140）に接続する分岐管には、ガス側閉鎖弁（26）が設けられている。第１ガス側連絡配管（23）の他端は、室外回路（40）に接続している。第２ガス側連絡配管（24）は、空調回路（100）を室外回路（40）に接続している。
【００４８】
〈室外ユニット〉
室外ユニット（11）は、冷凍装置（10）の熱源側機器を構成している。この室外ユニット（11）は、室外回路（40）を備えている。
【００４９】
室外回路（40）には、可変容量圧縮機（41）と、第１固定容量圧縮機（42）と、第２固定容量圧縮機（43）と、室外熱交換器（44）と、レシーバ（45）と、室外膨張弁（46）とが設けられている。また、室外回路（40）には、３つの吸入管（61,62,63）と、２つの吐出管（64,65）と、４つの液管（81,82,83,84）と、１つの高圧ガス管（66）とが設けられている。更に、室外回路（40）には、３つの四路切換弁（51,52,53）と、１つの液側閉鎖弁（54）と、２つのガス側閉鎖弁（55,56）とが設けられている。
【００５０】
この室外回路（40）において、液側閉鎖弁（54）には第１液側連絡配管（21）が、第１ガス側閉鎖弁（55）には第１ガス側連絡配管（23）が、第２ガス側閉鎖弁（56）には第２ガス側連絡配管（24）がそれぞれ接続されている。
【００５１】
可変容量圧縮機（41）、第１固定容量圧縮機（42）、及び第２固定容量圧縮機（43）は、何れも全密閉型で高圧ドーム型のスクロール圧縮機である。可変容量圧縮機（41）には、インバータを介して電力が供給される。この可変容量圧縮機（41）は、インバータの出力周波数を変化させて圧縮機モータの回転速度を変更することによって、その容量が変更可能となっている。一方、第１，第２固定容量圧縮機（42,43）は、圧縮機モータが常に一定の回転速度で運転されるものであって、その容量が変更不能となっている。
【００５２】
第１吸入管（61）は、その一端が第１ガス側閉鎖弁（55）に接続されている。この第１吸入管（61）は、他端側で第１分岐管（61a）と第２分岐管（61b）とに分岐されており、第１分岐管（61a）が可変容量圧縮機（41）の吸入側に、第２分岐管（61b）が第３四路切換弁（53）にそれぞれ接続されている。第１吸入管（61）の第２分岐管（61b）には、第１ガス側閉鎖弁（55）から第３四路切換弁（53）へ向かう冷媒の流通だけを許容する逆止弁（CV-1）が設けられている。
【００５３】
第２吸入管（62）は、その一端が第３四路切換弁（53）に、他端が第１固定容量圧縮機（42）の吸入側にそれぞれ接続されている。
【００５４】
第３吸入管（63）は、その一端が第２四路切換弁（52）に接続されている。この第３吸入管（63）は、他端側で第１分岐管（63a）と第２分岐管（63b）とに分岐されており、第１分岐管（63a）が第２固定容量圧縮機（43）の吸入側に、第２分岐管（63b）が第３四路切換弁（53）にそれぞれ接続されている。第３吸入管（63）の第２分岐管（63b）には、第２四路切換弁（52）から第３四路切換弁（53）へ向かう冷媒の流通だけを許容する逆止弁（CV-2）が設けられている。
【００５５】
第１吐出管（64）は、一端側で第１分岐管（64a）と第２分岐管（64b）とに分岐されており、第１分岐管（64a）が可変容量圧縮機（41）の吐出側に、第２分岐管（64b）が第１固定容量圧縮機（42）の吐出側にそれぞれ接続されている。第１吐出管（64）の他端は、第１四路切換弁（51）に接続されている。第１吐出管（64）の第２分岐管（64b）には、第１固定容量圧縮機（42）から第１四路切換弁（51）へ向かう冷媒の流通だけを許容する逆止弁（CV-3）が設けられている。
【００５６】
第２吐出管（65）は、その一端が第２固定容量圧縮機（43）の吸入側に、他端が第１吐出管（64）における第１四路切換弁（51）の直前にそれぞれ接続されている。第２吐出管（65）には、第２固定容量圧縮機（43）から第１四路切換弁（51）へ向かう冷媒の流通だけを許容する逆止弁（CV-4）が設けられている。
【００５７】
室外熱交換器（44）は、クロスフィン式のフィン・アンド・チューブ型熱交換器である。この室外熱交換器（44）では、冷媒と室外空気の間で熱交換が行われる。室外熱交換器（44）の一端は、閉鎖弁（57）を介して第１四路切換弁（51）に接続されている。一方、室外熱交換器（44）の他端は、第１液管（81）を介してレシーバ（45）の頂部に接続されている。この第１液管（81）には、室外熱交換器（44）からレシーバ（45）へ向かう冷媒の流通だけを許容する逆止弁（CV-5）が設けられている。
【００５８】
レシーバ（45）の底部には、閉鎖弁（58）を介して第２液管（82）の一端が接続されている。第２液管（82）の他端は、液側閉鎖弁（54）に接続されている。この第２液管（82）には、レシーバ（45）から液側閉鎖弁（54）へ向かう冷媒の流通だけを許容する逆止弁（CV-6）が設けられている。
【００５９】
第２液管（82）における逆止弁（CV-6）と液側閉鎖弁（54）の間には、第３液管（83）の一端が接続されている。第３液管（83）の他端は、第１液管（81）を介してレシーバ（45）の頂部に接続されている。また、第３液管（83）には、その一端から他端へ向かう冷媒の流通だけを許容する逆止弁（CV-7）が設けられている。
【００６０】
第２液管（82）における閉鎖弁（58）と逆止弁（CV-6）の間には、第４液管（84）の一端が接続されている。第４液管（84）の他端は、第１液管（81）における室外熱交換器（44）と逆止弁（CV-5）の間に接続されている。また、第４液管（84）には、その一端から他端へ向かって順に、逆止弁（CV-8）と室外膨張弁（46）とが設けられている。この逆止弁（CV-8）は、第４液管（84）の一端から他端へ向かう冷媒の流通だけを許容する。また、室外膨張弁（46）は、電子膨張弁により構成されている。
【００６１】
高圧ガス管（66）は、その一端が第１吐出管（64）における第１四路切換弁（51）の直前に接続されている。高圧ガス管（66）は、他端側で第１分岐管（66a）と第２分岐管（66b）とに分岐されており、第１分岐管（66a）が第１液管（81）における逆止弁（CV-5）の下流側に、第２分岐管（66b）が第３四路切換弁（53）にそれぞれ接続されている。高圧ガス管（66）の第１分岐管（66a）には、電磁弁（SV-7）と逆止弁（CV-9）とが設けられている。この逆止弁（CV-9）は、電磁弁（SV-7）の下流側に配置され、電磁弁（SV-7）から第１液管（81）へ向かう冷媒の流通だけを許容する。
【００６２】
第１四路切換弁（51）は、第１のポートが第１吐出管（64）の終端に、第２のポートが第２四路切換弁（52）に、第３のポートが室外熱交換器（44）に、第４のポートが第２ガス側閉鎖弁（56）にそれぞれ接続されている。この第１四路切換弁（51）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６３】
第２四路切換弁（52）は、第１のポートが第２吐出管（65）における逆止弁（CV-4）の下流側に、第２のポートが第２吸入管（62）の始端に、第４のポートが第１四路切換弁（51）の第２のポートにそれぞれ接続されている。また、第２四路切換弁（52）は、その第３のポートが封止されている。この第２四路切換弁（52）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６４】
第３四路切換弁（53）は、第１のポートが高圧ガス管（66）の第２分岐管（66b）の終端に、第２のポートが第２吸入管（62）の始端に、第３のポートが第１吸入管（61）の第２分岐管（61b）の終端に、第４のポートが第３吸入管（63）の第２分岐管（63b）の終端にそれぞれ接続されている。この第３四路切換弁（53）は、第１のポートと第３のポートが互いに連通して第２のポートと第４のポートが互いに連通する第１状態（図１に実線で示す状態）と、第１のポートと第４のポートが互いに連通して第２のポートと第３ポートが互いに連通する第２状態（図１に破線で示す状態）とに切り換え可能となっている。
【００６５】
室外回路（40）には、インジェクション管（85）、連通管（87）、油分離器（75）、及び油戻し管（76）が更に設けられている。また、室外回路（40）には、４つの均油管（71,72,73,74）も設けられている。
【００６６】
インジェクション管（85）は、いわゆる液インジェクションを行うためのものである。インジェクション管（85）は、その一端が第４液管（84）における逆止弁（CV-8）と室外膨張弁（46）の間に、他端が第１吸入管（61）にそれぞれ接続されている。このインジェクション管（85）には、その一端から他端へ向かって順に、閉鎖弁（59）と流量調節弁（86）とが設けられている。流量調節弁（86）は、電子膨張弁により構成されている。
【００６７】
連通管（87）は、その一端がインジェクション管（85）における閉鎖弁（59）と流量調節弁（86）の間に、他端が高圧ガス管（66）の第１分岐管（66a）における電磁弁（SV-7）の上流側にそれぞれ接続されている。この連通管（87）には、その一端から他端へ向かう冷媒の流通だけを許容する逆止弁（CV-10）が設けられている。
【００６８】
油分離器（75）は、第１吐出管（64）のうち第２吐出管（65）及び高圧ガス管（66）の接続位置よりも上流側に設けられている。この油分離器（75）は、圧縮機（41,42）の吐出ガスから冷凍機油を分離するためのものである。
【００６９】
油戻し管（76）は、その一端が油分離器（75）に接続されている。油戻し管（76）は、他端側で第１分岐管（76a）と第２分岐管（76b）とに分岐されており、第１分岐管（76a）がインジェクション管（85）における流量調節弁（86）の下流側に、第２分岐管（76b）が第２吸入管（62）にそれぞれ接続されている。また、油戻し管（76）の第１分岐管（76a）と第２分岐管（76b）とには、電磁弁（SV-5,SV-6）が１つずつ設けられている。第１分岐管（76a）の電磁弁（SV-5）を開くと、油分離器（75）で分離された冷凍機油がインジェクション管（85）を通じて第１吸入管（61）へ送り返される。一方、第２分岐管（76b）の電磁弁（SV-6）を開くと、油分離器（75）で分離された冷凍機油が第２吸入管（62）へ送り返される。
【００７０】
第１均油管（71）は、その一端が可変容量圧縮機（41）に接続され、他端が第２吸入管（62）に接続されている。この第１均油管（71）には、電磁弁（SV-1）が設けられている。第２均油管（72）は、その一端が第１固定容量圧縮機（42）に接続され、他端が第３吸入管（63）の第１分岐管（63a）に接続されている。この第２均油管（72）には、電磁弁（SV-2）が設けられている。第３均油管（73）は、その一端が第２固定容量圧縮機（43）に接続され、他端が第１吸入管（61）の第１分岐管（61a）に接続されている。この第３均油管（73）には、電磁弁（SV-3）が設けられている。第４均油管（74）は、その一端が第２均油管（72）における電磁弁（SV-2）の上流側に接続され、他端が第１吸入管（61）の第１分岐管（61a）に接続されている。この第４均油管（74）には、電磁弁（SV-4）が設けられている。各均油管（71〜74）の電磁弁（SV-1〜SV-4）を適宜開閉することにより、各圧縮機（41,42,43）における冷凍機油の貯留量が平均化される。
【００７１】
室外回路（40）には、図示しないが、各種のセンサや圧力スイッチも設けられている。
【００７２】
また、室外ユニット（11）には、室外ファン（48）が設けられている。室外熱交換器（44）へは、この室外ファン（48）によって室外空気が送られる。
【００７３】
〈空調ユニット〉
空調ユニット（12）は、利用側機器を構成している。空調ユニット（12）は、空調回路（100）を備えている。この空調回路（100）は、その液側端が第２液側連絡配管（22）、ガス側端が第２ガス側連絡配管（24）にそれぞれ接続されている。
【００７４】
空調回路（100）では、その液側端からガス側端へ向かって順に、空調膨張弁（102）と空調熱交換器（101）とが設けられている。空調熱交換器（101）は、クロスフィン式のフィン・アンド・チューブ型熱交換器である。この空調熱交換器（101）では、冷媒と室内空気の間で熱交換が行われる。一方、空調膨張弁（102）は、電子膨張弁によって構成されている。
【００７５】
空調ユニット（12）には、空調ファン（105）が設けられている。空調熱交換器（101）へは、この空調ファン（105）によって店内の室内空気が送られる。
【００７６】
〈冷蔵ショーケース〉
冷蔵ショーケース（13）は、利用側機器を構成している。冷蔵ショーケース（13）は、冷蔵回路（110）を備えている。この冷蔵回路（110）は、その液側端が第２液側連絡配管（22）に、ガス側端が第１ガス側連絡配管（23）にそれぞれ接続されている。
【００７７】
冷蔵回路（110）では、その液側端からガス側端へ向かって順に、冷蔵電磁弁（114）と冷蔵膨張弁（112）と冷蔵熱交換器（111）とが設けられている。冷蔵熱交換器（111）は、クロスフィン式のフィン・アンド・チューブ型熱交換器である。この冷蔵熱交換器（111）では、冷媒と庫内空気の間で熱交換が行われる。冷蔵膨張弁（112）は、温度自動膨張弁によって構成されている。冷蔵膨張弁（112）の感温筒（113）は、冷蔵熱交換器（111）の出口側の配管に取り付けられている。
【００７８】
冷蔵ショーケース（13）には、冷蔵庫内ファン（115）が設けられている。冷蔵熱交換器（111）へは、この冷蔵庫内ファン（115）によって冷蔵ショーケース（13）の庫内空気が送られる。
【００７９】
〈冷凍ショーケース〉
冷凍ショーケース（14）は、利用側機器を構成している。冷凍ショーケース（14）は、冷凍回路（130）を備えている。この冷凍回路（130）は、その液側端が第２液側連絡配管（22）に接続されている。また、冷凍回路（130）のガス側端は、配管を介してブースタユニット（15）に接続されている。
【００８０】
冷凍回路（130）では、その液側端からガス側端へ向かって順に、冷凍電磁弁（134）と冷凍膨張弁（132）と冷凍熱交換器（131）とが設けられている。冷凍熱交換器（131）は、クロスフィン式のフィン・アンド・チューブ型熱交換器である。この冷凍熱交換器（131）では、冷媒と庫内空気の間で熱交換が行われる。冷凍膨張弁（132）は、温度自動膨張弁によって構成されている。冷凍膨張弁（132）の感温筒（133）は、冷凍熱交換器（131）の出口側の配管に取り付けられている。
【００８１】
冷凍ショーケース（14）には、冷凍庫内ファン（135）が設けられている。冷凍熱交換器（131）へは、この冷凍庫内ファン（135）によって冷凍ショーケース（14）の庫内空気が送られる。
【００８２】
〈ブースタユニット〉
ブースタユニット（15）は、ブースタ回路（140）を備えている。このブースタ回路（140）には、ブースタ圧縮機（141）と、吸入管（143）と、吐出管（144）と、バイパス管（150）とが設けられている。
【００８３】
ブースタ圧縮機（141）は、全密閉型で高圧ドーム型のスクロール圧縮機である。ブースタ圧縮機（141）には、インバータを介して電力が供給される。このブースタ圧縮機（141）は、インバータの出力周波数を変化させて圧縮機モータの回転速度を変更することによって、その容量が変更可能となっている。
【００８４】
吸入管（143）は、その終端がブースタ圧縮機（141）の吸入側に接続されている。吸入管（143）の始端は、配管を介して冷凍回路（130）のガス側端に接続されている。
【００８５】
吐出管（144）は、その始端がブースタ圧縮機（141）の吐出側に、終端が第１ガス側連絡配管（23）にそれぞれ接続されている。この吐出管（144）には、その始端から終端へ向かって順に、高圧圧力スイッチ（148）と、油分離器（145）と、吐出側逆止弁（149）とが設けられている。吐出側逆止弁（149）は、吐出管（144）の始端から終端へ向かう冷媒の流通だけを許容する。
【００８６】
油分離器（145）は、ブースタ圧縮機（141）の吐出ガスから冷凍機油を分離するためのものである。油分離器（145）には、油戻し管（146）の一端が接続されている。油戻し管（146）の他端は、吸入管（143）に接続されている。油戻し管（146）には、キャピラリチューブ（147）が設けられている。油分離器（145）で分離された冷凍機油は、油戻し管（146）を通じてブースタ圧縮機（141）の吸入側へ送り返される。
【００８７】
バイパス管（150）は、その始端が吸入管（143）に、終端が吐出管（64）における油分離器（145）と吐出側逆止弁（149）の間にそれぞれ接続されている。このバイパス管（150）には、その始端から終端へ向かう冷媒の流通だけを許容するバイパス逆止弁（151）が設けられている。
【００８８】
〈過冷却ユニット〉
過冷却ユニット（200）は、冷媒通路（205）と過冷却用冷媒回路（220）と過冷却用熱交換器（210）と制御手段としてのコントローラ（240）とを備えている。
【００８９】
冷媒通路（205）は、その一端が第１液側連絡配管（21）に、他端が第２液側連絡配管（22）にそれぞれ接続されている。
【００９０】
過冷却用冷媒回路（220）は、過冷却用圧縮機（221）と、過冷却用室外熱交換器（222）と、過冷却用膨張弁（223）と、過冷却用熱交換器（210）とを順に配管で接続して構成された閉回路である。この過冷却用冷媒回路（220）では、充填された過冷却用冷媒を循環させることによって蒸気圧縮式冷凍サイクルが行われる。すなわち、この過冷却用冷媒回路（220）は、上記冷凍装置（10）の冷媒回路（20）に流れる冷媒とは別の過冷却用冷媒が冷却用流体として循環する冷却用流体回路を構成している。
【００９１】
過冷却用圧縮機（221）は、全密閉型で高圧ドーム型のスクロール圧縮機であり、過冷却用冷媒回路（220）において過冷却用冷媒を過冷却用熱交換器（210）へ搬送するポンプ機構を構成している。過冷却用圧縮機（221）には、インバータを介して電力が供給される。この過冷却用圧縮機（221）は、インバータの出力周波数を変化させて圧縮機モータの回転速度を変更することによって、その容量が変更可能となっている。過冷却用室外熱交換器（222）は、クロスフィン式のフィン・アンド・チューブ型熱交換器であり、熱源側熱交換器を構成している。この過冷却用室外熱交換器（222）では、過冷却用冷媒と室外空気の間で熱交換が行われる。過冷却用膨張弁（223）は、電子膨張弁によって構成されている。
【００９２】
過冷却用熱交換器（210）は、いわゆるプレート式熱交換器によって構成されている。過冷却用熱交換器（210）には、第１流路（211）と第２流路（212）とが複数ずつ形成されている。第１流路（211）には過冷却用冷媒回路（220）が、第２流路（212）には冷媒通路（205）がそれぞれ接続されている。そして、この過冷却用熱交換器（210）は、第１流路（211）を流れる過冷却用冷媒と、第２流路（212）を流れる冷凍装置（10）の冷媒とを熱交換させ、第２流路（212）の冷媒を過冷却する。
【００９３】
過冷却ユニット（200）には、各種のセンサや圧力スイッチが設けられている。具体的に、冷媒通路（205）における過冷却用熱交換器（210）の両側に温度検出手段としての温度センサ（237,238）を設けられている。冷媒通路（205）では、過冷却用熱交換器（210）よりも他端寄りの部分、即ち第２液側連絡配管（22）に接続する端部寄りの部分に第１冷媒温度センサ（237）が設けられている。また、この冷媒通路（205）では、過冷却用熱交換器（210）よりも一端寄りの部分、即ち第１液側連絡配管（21）に接続する端部寄りの部分に第２冷媒温度センサ（238）が設けられている。
【００９４】
また、過冷却ユニット（200）には、外気温度を検出する外気温センサ（231）と室外ファン（230）とが設けられている。過冷却用室外熱交換器（222）へは、この室外ファン（230）によって室外空気が送られる。
【００９５】
コントローラ（240）には、第１冷媒温度センサ（237）の検出値、第２冷媒温度センサ（238）の検出値、外気温センサ（231）の検出値などが入力されている。そして、このコントローラ（240）は、入力されたセンサの検出値に基づき、過冷却用圧縮機（221）の起動と停止とを制御するように構成されている。このコントローラ（240）には、室外ユニット（11）や空調ユニット（12）などで構成された冷凍装置（10）からの信号は一切入力されていない。つまり、コントローラ（240）は、過冷却ユニット（200）に設けられたセンサの検出値など、過冷却ユニット（200）の内部で得られた情報だけに基づいて過冷却用圧縮機（221）の運転容量制御を行う。
【００９６】
−冷凍システムの運転動作−
上記冷凍システムが行う運転動作のうち、主要なものについて説明する。
【００９７】
〈冷房運転〉
冷房運転は、冷蔵ショーケース（13）及び冷凍ショーケース（14）において庫内空気の冷却を行い、空調ユニット（12）で室内空気の冷却を行って店内を冷房する運転である。
【００９８】
図２に示すように、冷房運転中は、第１四路切換弁（51）、第２四路切換弁（52）、及び第３四路切換弁（53）がそれぞれ第１状態に設定される。また、室外膨張弁（46）が全閉される一方、空調膨張弁（102）、冷蔵膨張弁（112）、及び冷凍膨張弁（132）の開度がそれぞれ適宜調節される。この状態において、可変容量圧縮機（41）、第１固定容量圧縮機（42）、第２固定容量圧縮機（43）、及びブースタ圧縮機（141）が運転される。この冷房運転中には、過冷却ユニット（200）が運転状態となる。過冷却ユニット（200）の運転動作については後述する。
【００９９】
可変容量圧縮機（41）、第１固定容量圧縮機（42）、及び第２固定容量圧縮機（43）から吐出された冷媒は、第１四路切換弁（51）を通過して室外熱交換器（44）へ送られる。室外熱交換器（44）では、冷媒が室外空気へ放熱して凝縮する。室外熱交換器（44）で凝縮した冷媒は、第１液管（81）とレシーバ（45）と第２液管（82）とを順に通過して第１液側連絡配管（21）へ流入する。
【０１００】
第１液側連絡配管（21）へ流入した冷媒は、過冷却ユニット（200）の冷媒通路（205）へ流入する。冷媒通路（205）へ流入した冷媒は、過冷却用熱交換器（210）の第２流路（212）を通過する間に更に冷却される。過冷却用熱交換器（210）で冷却された過冷却状態の液冷媒は、第２液側連絡配管（22）を通って空調回路（100）と冷蔵回路（110）と冷凍回路（130）とに分配される。
【０１０１】
空調回路（100）へ流入した冷媒は、空調膨張弁（102）を通過する際に減圧されてから空調熱交換器（101）へ導入される。空調熱交換器（101）では、冷媒が室内空気から吸熱して蒸発する。その際、空調熱交換器（101）では、冷媒の蒸発温度が例えば５℃程度に設定される。空調ユニット（12）では、空調熱交換器（101）で冷却された室内空気が店内へ供給される。
【０１０２】
空調熱交換器（101）で蒸発した冷媒は、第２ガス側連絡配管（24）を通って室外回路（40）へ流入し、その後、第１四路切換弁（51）と第２四路切換弁（52）を順に通過して第３吸入管（63）へ流入する。第３吸入管（63）へ流入した冷媒は、その一部が第１分岐管（63a）を通って第２固定容量圧縮機（43）に吸入され、残りが第２分岐管（63b）と第３四路切換弁（53）と第２吸入管（62）とを順に通過して第１固定容量圧縮機（42）に吸入される。
【０１０３】
冷蔵回路（110）へ流入した冷媒は、冷蔵膨張弁（112）を通過する際に減圧されてから冷蔵熱交換器（111）へ導入される。冷蔵熱交換器（111）では、冷媒が庫内空気から吸熱して蒸発する。その際、冷蔵熱交換器（111）では、冷媒の蒸発温度が例えば−５℃程度に設定される。冷蔵熱交換器（111）で蒸発した冷媒は、第１ガス側連絡配管（23）へ流入する。冷蔵ショーケース（13）では、冷蔵熱交換器（111）で冷却された庫内空気が庫内へ供給され、庫内温度が例えば５℃程度に保たれる。
【０１０４】
冷凍回路（130）へ流入した冷媒は、冷凍膨張弁（132）を通過する際に減圧されてから冷凍熱交換器（131）へ導入される。冷凍熱交換器（131）では、冷媒が庫内空気から吸熱して蒸発する。その際、冷凍熱交換器（131）では、冷媒の蒸発温度が例えば−３０℃程度に設定される。冷凍ショーケース（14）では、冷凍熱交換器（131）で冷却された庫内空気が庫内へ供給され、庫内温度が例えば−２０℃程度に保たれる。
【０１０５】
冷凍熱交換器（131）で蒸発した冷媒は、ブースタ回路（140）へ流入してブースタ圧縮機（141）へ吸入される。ブースタ圧縮機（141）で圧縮された冷媒は、吐出管（144）を通って第１ガス側連絡配管（23）へ流入する。
【０１０６】
第１ガス側連絡配管（23）では、冷蔵回路（110）から送り込まれた冷媒と、ブースタ回路（140）から送り込まれた冷媒とが合流する。そして、これらの冷媒は、第１ガス側連絡配管（23）を通過して室外回路（40）の第１吸入管（61）へ流入する。第１吸入管（61）へ流入した冷媒は、その第１分岐管（61a）を通って可変容量圧縮機（41）に吸入される。
【０１０７】
〈暖房運転〉
暖房運転は、冷蔵ショーケース（13）及び冷凍ショーケース（14）において庫内空気の冷却を行い、空調ユニット（12）で室内空気の加熱を行って店内を暖房する運転である。
【０１０８】
図３に示すように、室外回路（40）では、第１四路切換弁（51）が第２状態に、第２四路切換弁（52）が第１状態に、第３四路切換弁（53）が第１状態にそれぞれ設定される。また、室外膨張弁（46）が全閉される一方、空調膨張弁（102）、冷蔵膨張弁（112）、及び冷凍膨張弁（132）の開度が適宜調節される。この状態において、可変容量圧縮機（41）及びブースタ圧縮機（141）が運転され、第１固定容量圧縮機（42）及び第２固定容量圧縮機（43）が休止する。また、室外熱交換器（44）は、冷媒が送り込まれずに休止状態となる。この第１暖房運転中には、過冷却ユニット（200）が停止状態となる。
【０１０９】
可変容量圧縮機（41）から吐出された冷媒は、第１四路切換弁（51）と第２ガス側連絡配管（24）と順に通って空調回路（100）の空調熱交換器（101）へ導入され、室内空気へ放熱して凝縮する。空調ユニット（12）では、空調熱交換器（101）で加熱された室内空気が店内へ供給される。空調熱交換器（101）で凝縮した冷媒は、第２液側連絡配管（22）を通って冷蔵回路（110）と冷凍回路（130）とに分配される。
【０１１０】
冷蔵ショーケース（13）及び冷凍ショーケース（14）では、上記冷房運転時と同様に、庫内空気の冷却が行われる。冷蔵回路（110）へ流入した冷媒は、冷蔵熱交換器（111）で蒸発した後に第１ガス側連絡配管（23）へ流入する。一方、冷凍回路（130）へ流入した冷媒は、冷凍熱交換器（131）で蒸発した後にブースタ圧縮機（141）で圧縮され、その後に第１ガス側連絡配管（23）へ流入する。第１ガス側連絡配管（23）へ流入した冷媒は、第１吸入管（61）を通過後に可変容量圧縮機（41）に吸入されて圧縮される。
【０１１１】
このように、第１暖房運転では、冷蔵熱交換器（111）及び冷凍熱交換器（131）において冷媒が吸熱し、空調熱交換器（101）において冷媒が放熱する。そして、冷蔵熱交換器（111）及び冷凍熱交換器（131）で冷媒が庫内空気から吸熱した熱を利用して、店内の暖房が行われる。
【０１１２】
なお、暖房運転中には、第１固定容量圧縮機（42）を運転してもよい。第１固定容量圧縮機（42）を運転するか否かは、冷蔵ショーケース（13）及び冷凍ショーケース（14）における冷却負荷に応じて決定される。
【０１１３】
このように、暖房運転中においては、外気温度が低く、冷凍装置（10）のみで所定の能力を十分に発揮できることから、冷房運転時のように過冷却用圧縮機（221）が使用されることはない。
【０１１４】
−過冷却ユニットの運転動作−
過冷却ユニット（200）の運転動作について説明する。過冷却ユニット（200）の運転状態では、過冷却用圧縮機（221）が運転されると共に、過冷却用膨張弁（223）の開度が適宜調節される。
【０１１５】
図１に示すように、過冷却用圧縮機（221）から吐出された過冷却用冷媒は、過冷却用室外熱交換器（222）で室外空気へ放熱して凝縮する。過冷却用室外熱交換器（222）で凝縮した過冷却用冷媒は、過冷却用膨張弁（223）を通過する際に減圧されてから過冷却用熱交換器（210）の第１流路（211）へ流入する。過冷却用熱交換器（210）の第１流路（211）では、過冷却用冷媒が第２流路（212）の冷媒から吸熱して蒸発する。過冷却用熱交換器（210）で蒸発した過冷却用冷媒は、過冷却用圧縮機（221）へ吸入されて圧縮される。
【０１１６】
上記コントローラ（240）には、外気温センサ（231）の検出値と、第１冷媒温度センサ（237）の検出値と、第２冷媒温度センサ（238）の検出値とが入力される。コントローラ（240）は、過冷却用圧縮機（221）の運転中における２つの冷媒温度センサ（237,238）の検出値を対比し、その比較結果から過冷却用熱交換器（210）を流れる冷凍装置（10）の冷媒状態である過冷却度を推定する。この過冷却度と外気温センサ（231）の検出した外気温度とに基づいて過冷却用圧縮機（221）の運転を継続させるか停止させるかを決定するように構成されている。
【０１１７】
このコントローラ（240）の制御動作について説明する。
【０１１８】
先ず、上記温度検出手段（237，238）によって検出された冷凍装置（10）の冷媒の過冷却度から、過冷却用熱交換器（210）を流れる冷凍装置（10）の冷媒状態を推定する。過冷却度が大きいときには、過冷却用熱交換器（210）によって冷凍装置（10）の冷媒が十分に冷やされていることから、冷凍装置（10）から過冷却用熱交換器（210）に流れ込む冷凍装置（10）の冷媒は少ないと判断することができる。このことから、制御手段（240）は、冷凍装置（10）での消費電力は小さいと推定することができる。
【０１１９】
一方、過冷却度が小さいときには、過冷却用熱交換器（210）によって冷凍装置（10）の冷媒が十分に冷やされていないことから、冷凍装置（10）から過冷却用熱交換器（210）に流れ込む冷凍装置（10）の冷媒は多いと判断することができる。このことから、冷凍装置（10）での消費電力は大きいと推定することができる。
【０１２０】
具体的には、図４に示すように、予め用意された推定曲線を用いて、コントローラ（240）は、過冷却度と、外気温度とから室外ユニット（11）の電力量を推定する。そして、室外ユニット（11）の電力量と過冷却用圧縮機（221）の電力量との合計を計算し、その合計が制限値内にあるかを判断する。この制限値は、他の電力消費機器との総計が契約電力量を超えないものとすればよい。
【０１２１】
コントローラ（240）は、室外ユニット（11）の電力量と過冷却用圧縮機（221）の電力量との合計が制限値を超えたと判断したときには、過冷却用圧縮機（221）の運転を停止させる。一方、室外ユニット（11）の電力量と過冷却用圧縮機（221）の電力量との合計が制限値を超えないと判断したときには、過冷却用圧縮機（221）の運転を継続させる。      
【０１２２】
なお、本実施形態では、過冷却用圧縮機（221）の運転を停止させることにより、冷凍システム全体の電力量を制限値内に低減するようにしたが、過冷却用圧縮機（221）の運転周波数を低下させて冷凍システム全体の電力量を低減するようにしてもよい。つまり、本発明は、直接、過冷却用圧縮機（221）の運転周波数を低減することによって該過冷却用圧縮機（221）の消費電力を低減するようにしたものである。
【０１２３】
−実施形態１の効果−
上記過冷却ユニット（200）において、コントローラ（240）は、過冷却ユニット（200）に設けられたセンサの検出値など、過冷却ユニット（200）内で得られる情報だけに基づいて過冷却用圧縮機（221）の運転を制御している。つまり、この過冷却ユニット（200）では、冷凍装置（10）との間で信号の授受などを行わなくても、冷凍装置（10）の運転状態に応じて過冷却用圧縮機（221）の運転を制御することが可能となる。このため、上記過冷却ユニット（200）を冷凍装置（10）に取り付ける際には、冷凍装置（10）の第１，第２液側連絡配管（21,22）に過冷却ユニット（200）の冷媒通路（205）を接続するだけでよく、冷凍装置（10）と過冷却ユニット（200）との間で信号を授受するための通信用配線を敷設する必要が無くなる。
【０１２４】
したがって、本発明によれば、過冷却装置（200）を冷凍装置（10）に取り付ける際の作業工数を削減することができ、更に誤配線などの設置作業時の人的ミスに起因するトラブルを未然に防止しながら、契約電力内で過冷却装置を運転して冷凍装置（10）を補助し、その冷却能力を増大させることができる。
【０１２５】
−実施形態１の各変形例−
各変形例（変形例１〜５）は、冷凍装置（10）の冷媒の過冷却度以外の各種パラメータに基いて室外ユニット（11）の電力量を推定するようにしたものである。
【０１２６】
−変形例１−
本変形例１の過冷却ユニット（200）では、図示しないが、冷媒通路（205）に流量検出手段としての流量センサを設け、この流量センサが検出した冷媒通路（205）の流量に基づいて過冷却用圧縮機（221）を運転制御するようにしてもよい。つまり、流量センサの検出流量は、過冷却用熱交換器（210）を流れる冷凍装置（10）の冷媒状態を示す。
【０１２７】
具体的には、この過冷却ユニット（200）では、流量センサの検出値と外気温センサ（231）の検出値とがコントローラ（240）に入力される。図５に示すように、予め用意された推定曲線を用いて、コントローラ（240）は、流量センサの検出値と外気温センサ（231）の検出値とから室外ユニット（11）の電力量を推定する。そして、この推定された室外ユニット（11）の電力量と過冷却用圧縮機（221）の電力量との合計を計算し、その合計が制限値内にあるかを判断する。この制限値は、他の電力消費機器との総計が契約電力量を超えないものとすればよい。
【０１２８】
コントローラ（240）は、室外ユニット（11）の電力量と過冷却用圧縮機（221）の電力量との合計が制限値を超えたと判断したときには、過冷却用圧縮機（221）の運転を停止させる。一方、室外ユニット（11）の電力量と過冷却用圧縮機（221）の電力量との合計が制限値を超えないと判断したときには、過冷却用圧縮機（221）の運転を継続させる。
【０１２９】
−変形例２−
本変形例２の過冷却ユニット（200）では、図示しないが、過冷却用冷媒回路（220）における過冷却用熱交換器（210）の両側、つまり第１流路（211）の上下流側に過冷却用冷媒の温度検出手段として温度センサを設け、これら２つの温度センサが検出した検出温度の差に基づいて過冷却用圧縮機（221）を運転制御するようにしてもよい。すなわち、上記検出した過冷却用冷媒の温度差は、冷凍装置（10）の冷媒を過冷却する前と過冷却した後の過冷却用冷媒の温度差であり、過冷却用冷媒回路（220）における過冷却用冷媒の状態を示す。
【０１３０】
この過冷却ユニット（200）では、各温度センサの検出値と外気温センサ（231）の検出値とがコントローラ（240）に入力される。コントローラ（240）は、図示しないが、予め用意された推定曲線を用いて、各温度センサの検出値の差と外気温センサ（231）の検出値とから室外ユニット（11）の電力量を推定する。例えば、各温度センサの検出値の差が大きい場合、過冷却用熱交換器（210）で冷凍装置（10）の冷媒が十分に冷却されていることから、過冷却用熱交換器（210）における冷凍装置（10）の冷媒流量が少ないと判断され、冷凍装置（10）の消費電力が小さいと推定される。また、各温度センサの検出値の差が小さい場合、過冷却用熱交換器（210）で冷凍装置（10）の冷媒が十分に冷却されていないことから、過冷却用熱交換器（210）における冷凍装置（10）の冷媒流量が多いと判断され、冷凍装置（10）での消費電力が大きいと推定される。
【０１３１】
−変形例３−
本変形例３の過冷却ユニット（200）では、図示しないが、過冷却用冷媒回路（220）における過冷却用熱交換器（210）の入口側または出口側に流量検出手段としての流量センサを設け、この検出流量に基づいて過冷却用圧縮機（221）を運転制御するようにしてもよい。すなわち、検出流量は過冷却用冷媒の状態である過冷却用熱交換器（210）を流れる過冷却用冷媒の流量を示す。
【０１３２】
この過冷却ユニット（200）では、流量センサの検出値と外気温センサ（231）の検出値とがコントローラ（240）に入力される。コントローラ（240）は、図示しないが、予め用意された推定曲線を用いて、流量センサの検出値と外気温センサ（231）の検出値とから室外ユニット（11）の電力量を推定する。例えば、流量センサの検出値が小さい場合、過冷却用熱交換器（210）における冷凍装置（10）の冷媒流量も少ないと判断され、冷凍装置（10）の消費電力が小さいと推定される。また、流量センサの検出値が大きい場合、過冷却用熱交換器（210）における冷凍装置（10）の冷媒流量も多いと判断され、冷凍装置（10）での消費電力が大きいと推定される。
【０１３３】
−変形例４−
本変形例４の過冷却ユニット（200）では、図示しないが、過冷却用冷媒回路（220）における過冷却用冷媒の高圧圧力を検出する圧力検出手段としての圧力センサを設け、この検出圧力に基づいて過冷却用圧縮機（221）を運転制御するようにしてもよい。すなわち、検出圧力は、過冷却用冷媒の状態を示す。
【０１３４】
この過冷却ユニット（200）では、圧力センサの検出値と外気温センサ（231）の検出値とがコントローラ（240）に入力される。コントローラ（240）は、図示しないが、予め用意された推定曲線を用いて、圧力センサの検出値と外気温センサ（231）の検出値とから室外ユニット（11）の電力量を推定する。例えば、圧力センサの検出値が小さい場合、過冷却用室外熱交換器（222）および過冷却用熱交換器（210）における過冷却用冷媒の流量が少なく、過冷却用熱交換器（210）における冷凍装置（10）の冷媒流量も少ないと判断される。したがって、冷凍装置（10）の消費電力が小さいと推定される。また、圧力センサの検出値が大きい場合、過冷却用室外熱交換器（222）および過冷却用熱交換器（210）における過冷却用冷媒の流量が多く、過冷却用熱交換器（210）における冷凍装置（10）の冷媒流量も多いと判断される。したがって、冷凍装置（10）での消費電力が大きいと推定される。
【０１３５】
−変形例５−
本変形例５の過冷却ユニット（200）では、図示しないが、過冷却用冷媒回路（220）における過冷却用冷媒の高圧圧力および低圧圧力を検出する圧力検出手段としての２つの圧力センサを設け、これら２つの検出圧力の差に基づいて過冷却用圧縮機（221）を運転制御するようにしてもよい。すなわち、この検出圧力の差は、過冷却用冷媒の状態を示す。
【０１３６】
この過冷却ユニット（200）では、各圧力センサの検出値と外気温センサ（231）の検出値とがコントローラ（240）に入力される。コントローラ（240）は、図示しないが、予め用意された推定曲線を用いて、各圧力センサの検出値の差と外気温センサ（231）の検出値とから室外ユニット（11）の電力量を推定する。例えば、各圧力センサの検出値の差が小さい場合、低圧圧力は過冷却用膨張弁（223）の開度制御によってほぼ一定に維持されているので、高圧圧力も通常より低いと判断され、上述したように過冷却用熱交換器（210）における冷凍装置（10）の冷媒流量も少ないと判断される。したがって、冷凍装置（10）の消費電力が小さいと推定される。また、各圧力センサの検出値の差が大きい場合、高圧圧力が通常より高いと判断され、上述したように過冷却用熱交換器（210）における冷凍装置（10）の冷媒流量も多いと判断される。したがって、冷凍装置（10）での消費電力が大きいと推定される。
【０１３７】
《発明の実施形態２》
本実施形態２の過冷却ユニット（200）は、上記実施形態１が直接過冷却用圧縮機（221）の運転を停止させて該過冷却用圧縮機（221）の消費電力を低減するようにしたのに代えて、過冷却用室外熱交換器（222）の室外ファン（230）の運転周波数を増大させることによって過冷却用圧縮機（221）の消費電力を低減するようにしたものである。つまり、本実施形態では、過冷却用圧縮機（221）の運転周波数は一定である。
【０１３８】
具体的に、コントローラ（240）は、冷凍装置（10）の冷媒の過冷却度が大きい場合、冷凍装置（10）の消費電力が小さいと推定され、室外ファン（230）の運転周波数を変化させない。一方、コントローラ（240）は、過冷却度が小さい場合、冷凍装置（10）の消費電力が大きいと推定され、室外ファン（230）の運転周波数を増大させて大風量にする。これにより、過冷却用冷媒回路（220）における過冷却用冷媒の高圧圧力が低下する。つまり、過冷却用圧縮機（221）の吐出圧力が低下する。したがって、過冷却用圧縮機（221）において、圧縮仕事量が減少するため、消費電力が低減される。この結果、冷凍装置（10）との間で信号の授受などを行わなくても、冷凍装置（10）の運転状態に応じて過冷却用圧縮機（221）の運転を制御することができ、室外ユニット（11）の電力量と過冷却用圧縮機（221）の電力量との合計が制限値内とすることができる。
【０１３９】
なお、本実施形態では、室外ファン（230）の運転周波数を増大させると、室外ファン（230）の消費電力は増大するが、その増大量よりも過冷却用圧縮機（221）における消費電力の低減量が極めて大きいため、過冷却ユニット（200）の消費電力を確実に低減させることができる。また、上記実施形態１の各変形例において、冷凍装置（10）の消費電力が大きいと推定されると、室外ファン（230）を同様に制御する。
【０１４０】
《発明の実施形態３》
本実施形態３の冷凍システムは、図示しないが、上記実施形態１では冷却用流体回路を過冷却用冷媒が循環する冷媒回路により構成したが、これに代えて冷却水が流れる冷却水回路により構成するようにしたものである。具体的に、この冷却水回路は、過冷却用熱交換器（210）およびポンプを備え、該ポンプによってクーリングタワーの冷却水が過冷却用熱交換器（210）へ搬送される。そして、上記過冷却用熱交換器（210）において、冷却水が冷媒通路（205）の冷媒と熱交換して該冷媒を冷却する。つまり、本実施形態の冷却用流体回路では、冷却水が冷却用流体として流れる。
【０１４１】
この場合、コントローラ（240）は、冷凍装置（10）の冷媒の過冷却度と外気温度とに基づいてポンプの運転容量を調節する。具体的に、コントローラ（240）は、過冷却度が大きい場合、ポンプの運転周波数は変化させない。また、過冷却度が小さい場合、ポンプの運転周波数を低下させてポンプの運転容量を低減する。これにより、ポンプの消費電力を低減させることができる。この結果、冷凍装置（10）との間で信号の授受などを行わなくても、冷凍装置（10）の運転状態に応じてポンプの運転を制御することができ、システム全体の電力量を制限値内にすることができる。
【０１４２】
なお、以上の実施形態およびその変形例は、本質的に好ましい例示であって、本発明、その適用物、あるいはその用途の範囲を制限することを意図するものではない。
【産業上の利用可能性】
【０１４３】
以上説明したように、本発明は、冷凍装置の冷媒を過冷却熱交換器で過冷却する過冷却装置について有用である。
【図面の簡単な説明】
【０１４４】
【図１】過冷却ユニットを備えた冷凍システムの構成を示す配管系統図である。
【図２】冷凍システムの冷房運転時の動作を示す配管系統図である。
【図３】冷凍システムの暖房運転時の動作を示す配管系統図である。
【図４】室外ユニットの電力量の変化を示すグラフである。
【図５】実施形態の変形例における室外ユニットの電力量の変化を示すグラフである。
【符号の説明】
【０１４５】
（10）  冷凍装置
（200） 過冷却ユニット（過冷却装置）
（210） 過冷却用熱交換器
（220） 過冷却回路（冷却用流体回路）
（221） 過冷却用圧縮機（ポンプ機構）
（222） 過冷却用室外熱交換器（熱源側熱交換器）
（230） 室外ファン（ファン）
（240） コントローラ（制御手段）